(57)【要約】      （修正有）【課題】媒体束を崩すことなく収納し得るようにする。【解決手段】紙幣出金機１０の制御部１４は、前面機１０Ｆにおいて紙幣束の取り忘れが発生した場合、ラッセル部３５により紙幣束を取込孔２７Ｈの後側へ搬送して、当該ラッセル部３５の搬送方向を前方向に切り替えてから、当該取込孔２７Ｈに対し案内開始点２７Ｇに近い箇所から紙幣束を落下させる。これにより制御部１４は、前面機１０Ｆ及び後面機１０Ｒの何れにおいても、傾斜面２７Ｌに対し案内開始点２７Ｇの近傍から紙幣束を摺動させることができるので、当該紙幣束の姿勢や集積状態を殆ど変化させること無く下降させ、第２収納空間に収納させることができる。【選択図】図２
2016151935.tif 000002
【特許請求の範囲】
【請求項１】
媒体を集積して媒体束を生成し、当該媒体束を搬送方向へ搬送する束搬送路との間に形成された集積孔を介して、当該束搬送路との間で前記媒体束を受け渡す集積部と、
前記束搬送路に沿って前記媒体束を搬送する束搬送部と、
前記束搬送路一端側に設けられ、前記媒体束を操作者に引き渡す引渡口と、
前記束搬送路との間に形成された取込孔から前記媒体束を取り込み、前記取込孔よりも下方に配置された収納空間に収納するリジェクト収納庫と、
前記リジェクト収納庫に設けられ、前記取込孔における前記束搬送路他端側に配置された案内開始点から前記収納空間へ前記媒体束を案内する案内傾斜面と、
前記取込孔を開放又は閉塞する取込孔開閉部と、
前記束搬送部及び前記取込孔開閉部を制御する制御部と
を具え、
前記制御部は、前記束搬送部により前記引渡口に搬送した前記媒体束が前記引渡口から取り込まれた場合、前記取込孔開閉部により前記取込孔を閉塞させ、前記束搬送部により前記媒体束を前記取込孔よりも前記束搬送路他端側へ搬送し、前記取込孔開閉部により前記取込孔を開放させ、前記束搬送部により前記媒体束を前記案内開始点側から前記取込孔内へ投入させる
ことを特徴とする媒体処理装置。
【請求項２】
前記束搬送部は、前記媒体束を進行方向へ押し付けるラッセル板を具え、
前記制御部は、前記引渡口から前記媒体束を前記取込孔よりも前記束搬送路他端側へ搬送する場合に、前記ラッセル板を前記媒体束の前記束搬送路一端側に位置させ、前記媒体束を前記取込孔内へ投入させる場合に、前記ラッセル板を前記媒体束の前記束搬送路他端側に位置させる
ことを特徴とする請求項１に記載の媒体処理装置。
【請求項３】
前記集積部は、前記取込孔の前記束搬送路他端側に設けられ、前記媒体束を載置するステージと、当該ステージを前記束搬送路の内部又は外部に位置させるよう移動させるステージ移動部とを具え、
前記束搬送部は、少なくとも前記取込孔の前記束搬送路他端側において、前記ラッセル板の少なくとも一部を前記束搬送路内に位置させ、
前記制御部は、前記ステージを前記束搬送路の内部に位置させ、前記ラッセル板を前記媒体束の前記束搬送路一端側に位置させた状態で当該媒体束を前記ステージ上へ搬送した後、当該ステージを前記媒体束と共に前記束搬送路の外部へ移動させ、前記ラッセル板を当該媒体束よりも前記束搬送路他端側へ移動させ、前記ステージを前記媒体束と共に前記束搬送路の内部へ移動させる
ことを特徴とする請求項２に記載の媒体処理装置。
【請求項４】
前記束搬送路における前記取込孔の前記案内開始点側から前記ラッセル板により押し出された前記媒体束の少なくとも一部が、当該取込孔に対する当該案内開始点の反対側において前記束搬送路内へ向かう前記媒体を当該取込孔へ案内する取込ガイド
をさらに具えることを特徴とする請求項２に記載の媒体処理装置。
【請求項５】
前記取込ガイドは、前記取込孔開閉部により前記取込孔が閉塞されている場合には前記束搬送路の外部へ退避し、前記取込孔開閉部により前記取込孔が開放されている場合には前記束搬送路内へ向かう前記媒体を前記取込孔へ案内する状態に遷移する
ことを特徴とする請求項４に記載の媒体処理装置。
【請求項６】
前記制御部は、前記媒体束が前記引渡口に到達する前に障害が発生した場合、当該媒体束を前記束搬送部により前記取込孔よりも前記束搬送路他端側へ搬送し、前記取込孔開閉部により前記取込孔を開放させ、前記束搬送部により前記媒体束を前記案内開始点側から前記取込孔内へ投入させる
ことを特徴とする請求項１に記載の媒体処理装置。
【請求項７】
前記制御部は、前記引渡口から取り込まれた前記媒体束が前記収納空間に収納されている場合、前記引渡口に到達する前に障害が発生した前記媒体を取込孔内へ投入させずに運用を停止させる
ことを特徴とする請求項６に記載の媒体処理装置。
【請求項８】
前記制御部は、前記引渡口に到達する前に障害が発生した前記媒体が前記収納空間に収納されている場合、前記引渡口から取り込まれた前記媒体束を取込孔内へ投入させずに運用を停止させる
ことを特徴とする請求項６に記載の媒体処理装置。
【請求項９】
前記束搬送部は、前記媒体束を進行方向へ押し付けるラッセル板を具え、
前記引渡口は、前記ラッセル板が近傍に位置する場合に開放し、前記ラッセル板が遠方に位置する場合に閉塞するシャッタを具え、
前記制御部は、前記引渡口から前記媒体束が取り込まれた場合、当該前記媒体束を当該引渡口から取り込み、前記束搬送部の前記ラッセル板により前記束搬送路他端側へ搬送して前記引渡口の前記シャッタを閉塞させてから、運用を停止させる
ことを特徴とする請求項８に記載の媒体処理装置。
【請求項１０】
前記リジェクト収納庫は、前記束搬送路に対する取付方向を、前記取込孔に対し前記案内開始点を前記束搬送路一端側に配置する方向と、前記取込孔に対し前記案内開始点を前記束搬送路他端側に配置する方向とに切替可能であり、
前記制御部は、前記リジェクト収納庫が前記取込孔に対し前記案内開始点を前記束搬送路他端側に配置する方向に取り付けられ、且つ前記束搬送部により前記引渡口に搬送した前記媒体束が前記引渡口から取り込まれた場合、前記取込孔開閉部により前記取込孔を閉塞させ、前記束搬送部により前記媒体束を前記取込孔よりも前記束搬送路他端側へ搬送し、前記取込孔開閉部により前記取込孔を開放させ、前記束搬送部により前記媒体束を前記案内開始点側から前記取込孔内へ投入させる
ことを特徴とする請求項１に記載の媒体処理装置。
【発明の詳細な説明】
【技術分野】
【０００１】
本発明は媒体処理装置に関し、例えば媒体としての紙幣を出金する紙幣出金機に適用して好適なものである。
【背景技術】
【０００２】
従来、金融機関等で使用される紙幣出金機おいては、操作者（例えば金融機関の顧客）からの要求に応じて紙幣や硬貨等の現金を出金するものが広く普及している。
【０００３】
紙幣出金機としては、例えば紙幣を収納する紙幣収納庫と、紙幣を搬送する搬送部と、紙幣を鑑別する鑑別部と、出金可能な紙幣を集積し紙幣束とする集積部と、出金すべきで無いリジェクト紙幣を収納するリジェクト収納庫と、紙幣束を搬送する束搬送部と、操作者に紙幣束を引き渡す出金口とを有するものが提案されている（例えば、特許文献１参照）。
【先行技術文献】
【特許文献】
【０００４】
【特許文献１】特許第５１５６０９７号公報（第１図）
【発明の概要】
【発明が解決しようとする課題】
【０００５】
ところでリジェクト収納庫は、例えば束搬送部の下方に配置され、当該束搬送部と連通する取込孔が形成されたものがある。紙幣出金機は、操作者が出金口から紙幣束を取り忘れた場合、この紙幣束を束搬送部により取り込み、出金時と反対の方向へ搬送させ、取込孔からリジェクト収納庫内へ落下させて、当該リジェクト収納庫に収納することができる。
【０００６】
しかしながら紙幣出金機では、取込孔から落下する紙幣束が束搬送部からの落下中に姿勢を変化させ、或いは集積を崩す場合がある。このため紙幣出金機では、リジェクト収納庫の内部に紙幣が雑然と収納され、回収時にこれらを整理する作業が必要になるおそれや、当該リジェクト収納庫から束搬送部等へ紙幣の一部がはみ出してしまい、以降の出金動作等に支障を来すおそれがある、という問題があった。
【０００７】
本発明は以上の点を考慮してなされたもので、媒体束を崩すことなく収納し得る媒体処理装置を提案しようとするものである。
【課題を解決するための手段】
【０００８】
かかる課題を解決するため本発明の媒体処理装置においては、媒体を集積して媒体束を生成し、当該媒体束を搬送方向へ搬送する束搬送路との間に形成された集積孔を介して、当該束搬送路との間で媒体束を受け渡す集積部と、束搬送路に沿って媒体束を搬送する束搬送部と、束搬送路一端側に設けられ、媒体束を操作者に引き渡す引渡口と、束搬送路との間に形成された取込孔から媒体束を取り込み、取込孔よりも下方に配置された収納空間に収納するリジェクト収納庫と、リジェクト収納庫に設けられ、取込孔における束搬送路他端側に配置された案内開始点から収納空間へ媒体束を案内する案内傾斜面と、取込孔を開放又は閉塞する取込孔開閉部と、束搬送部及び取込孔開閉部を制御する制御部とを設け、制御部は、束搬送部により引渡口に搬送した媒体束が引渡口から取り込まれた場合、取込孔開閉部により取込孔を閉塞させ、束搬送部により媒体束を取込孔よりも束搬送路他端側へ搬送し、取込孔開閉部により取込孔を開放させ、束搬送部により媒体束を案内開始点側から取込孔内へ投入させるようにした。
【０００９】
これにより、引渡口から取り込まれた媒体束を、当該引渡口と反対側の束搬送路他端側から取込孔に落下させることができるので、案内開始点の近傍から案内傾斜面に沿って媒体束を下降させることができ、束を大きく崩すこと無く、リジェクト収納庫の収納区間内に収納することができる。
【発明の効果】
【００１０】
本発明によれば、媒体束を崩すことなく収納し得る媒体処理装置を実現できる。
【図面の簡単な説明】
【００１１】
【図１】現金自動支払機の構成を示す略線的斜視図である。
【図２】第１の実施の形態による紙幣出金機の前面機及び後面機の構成を示す略線図である。
【図３】第１の実施の形態による束搬送ユニット及び収納ユニットの構成を示す略線図である。
【図４】第１の実施の形態による後面機での紙幣の出金動作を示す略線図である。
【図５】第１の実施の形態による後面機での紙幣の取込動作を示す略線図である。
【図６】第１の実施の形態による前面機での紙幣の出金動作を示す略線図である。
【図７】第１の実施の形態による取忘紙幣取込処理手順を示すフローチャートである。
【図８】第１の実施の形態による搬送方向切替処理手順を示すフローチャートである。
【図９】第１の実施の形態による前面機での紙幣の取込動作を示す略線図である。
【図１０】第１の実施の形態による前面機での紙幣の取込動作を示す略線図である。
【図１１】第２の実施の形態による紙幣出金機の前面機及び後面機の構成を示す略線図である。
【図１２】第２の実施の形態による前面用束搬送ユニットの構成を示す略線図である。
【図１３】第２の実施の形態によるラッセル部における搬送方向の切替を示す略線図である。
【図１４】第２の実施の形態による前面機での紙幣の出金動作及び取込動作を示す略線図である。
【図１５】第２の実施の形態による前面機での紙幣の取込動作を示す略線図である。
【図１６】第３の実施の形態による紙幣出金機の構成を示す略線図である。
【図１７】第３の実施の形態による挟持搬送ガイド及び取込ガイドの構成を示す略線図である。
【図１８】第４の実施の形態による出金障害紙幣取込処理手順を示すフローチャートである。
【図１９】第４の実施の形態による出金障害紙幣の取込動作を示す略線図である。
【図２０】第５の実施の形態による取込処理手順を示すフローチャートである。
【図２１】他の実施の形態によるラッセル部の構成を示す略線図である。
【図２２】他の実施の形態による取込ガイドの構成を示す略線図である。
【発明を実施するための形態】
【００１２】
以下、発明を実施するための形態（以下実施の形態とする）について、図面を用いて説明する。
【００１３】
［１．第１の実施の形態］
［１−１．現金自動支払機及び紙幣出金機の構成］
図１に外観を示すように、現金自動支払機１は、箱状の筐体２を中心に構成されており、例えば金融機関等に設置され、操作者（すなわち金融機関の顧客）との間で出金処理等の現金に関する取引を行うようになっている。
【００１４】
筐体２は、その前側に操作者が対峙した状態で紙幣の取り出しやタッチパネルによる操作等をしやすい箇所に顧客応対部３が設けられている。顧客応対部３は、操作者との間で例えば現金やカード等を直接やり取りすると共に、取引に関する情報の通知や操作指示の受付を行うようになされており、カード入出口４、筐体出金口５、操作表示部６、テンキー７、及びレシート発行口８が設けられている。
【００１５】
カード入出口４は、キャッシュカード等の各種カードが挿入または排出される部分である。カード入出口４の奥側には、各種カードに磁気記録された口座番号等の読み取りを行うカード処理部（図示せず）が設けられている。筐体出金口５は、シャッタを駆動することにより開放又は閉塞されるようになっており、開放された状態において、操作者へ出金する紙幣が排出される。
【００１６】
操作表示部６は、取引に際して操作画面を表示するＬＣＤ（Liquid Crystal Display）と、取引の種類の選択、暗証番号や取引金額等を入力するタッチセンサとが一体化されたタッチパネルとなっている。テンキー７は、「０」〜「９」の数字等の入力を受け付ける物理キーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００１７】
以下では、現金自動支払機１のうち操作者が対峙する側を前側とし、その反対を後側とし、当該前側に対峙した操作者から見て左及び右をそれぞれ左側及び右側とし、さらに上側及び下側を定義して説明する。
【００１８】
筐体２内には、現金自動支払機１全体を統括制御する主制御部９や、紙幣に関する種々の処理を行う紙幣出金機１０等が設けられている。主制御部９は、図示しないＣＰＵ（Central Processing Unit）を中心に構成されており、図示しないＲＯＭ（Read Only Memory）やフラッシュメモリ等から所定のプログラムを読み出して実行することにより、出金処理等の種々の処理を行う。また主制御部９は、内部にＲＡＭ（Random Access Memory）、ハードディスクドライブやフラッシュメモリ等でなる記憶部を有しており、この記憶部に種々の情報を記憶させる。
【００１９】
紙幣出金機１０は、図２（Ａ）に右側面図を示すように、大きく分けて下側の収納ユニット１２及び上側の束搬送ユニット１３により構成されており、さらに全体を制御する制御部１４が組み込まれている。
【００２０】
制御部１４は、主制御部９（図１）と同様、図示しないＣＰＵを中心に構成されており、図示しないＲＯＭやフラッシュメモリ等から所定のプログラムを読み出して実行することにより、出金処理等の処理を行う。また制御部１４は、内部にＲＡＭ、ハードディスクドライブやフラッシュメモリ等でなる記憶部を有しており、この記憶部に種々の情報を記憶させる。
【００２１】
［１−１−１．収納ユニットの構成］
図３に示すように、収納ユニット１２は、直方体状の収納筐体２０内に、紙幣に関する種々の処理を行う複数の部分が組み込まれている。この収納筐体２０内には、４個の紙幣収納庫２１、搬送部２３、鑑別部２４、切替部２５、集積部２６、リジェクト収納庫２７及び挟持搬送ガイド２８が設けられている。
【００２２】
各紙幣収納庫２１は、収納筐体２０の前側における上下方向の中央から下側にかけて、互いに積み重なるように取り付けられている。各紙幣収納庫２１は、上下方向に短く前後方向に長い扁平な直方体状に形成されており、その内部に、紙面を前後方向に向けて前後方向に沿って並べた状態、いわゆる横集積の状態で、紙幣を収納する。また紙幣収納庫２１の後側下部、すなわち束搬送ユニット１３から遠い箇所には、収納されている紙幣を１枚ずつに分離して繰り出す繰出部２２が設けられている。また各紙幣収納庫２１は、それぞれに収納される紙幣の金種が予め定められている。
【００２３】
搬送部２３は、図示しないローラやベルト、或いはこれらを駆動するモータ等により、紙幣を搬送する経路である搬送路を構成している。この搬送路は、図中に実線で示すように、各紙幣収納庫２１の繰出部２２と接続され、各紙幣収納庫２１の後側を上下方向に沿って進行し、さらに最も上方に位置する紙幣収納庫２１Ａの上側における前後方向の中央付近まで到達するように配設されている。搬送部２３は、各紙幣収納庫２１の繰出部２２から繰り出された紙幣を概ね上方向へ進行させる。
【００２４】
また搬送部２３は、鑑別部２４を通過して切替部２５へ向かう部分において、傾斜した部分が形成されており、この傾斜角度をほぼ保つように、当該切替部２５からリジェクト収納庫２７へ向かう部分も一部傾斜している。また搬送部２３のうち集積部２６へ向かう部分は、一度上方へ走行し、途中から後方へ屈曲されている。
【００２５】
鑑別部２４は、搬送部２３における紙幣収納庫２１Ａの後側部分に、搬送部２３の搬送路に沿って、すなわち束搬送ユニット１３へ近づく方向に沿って、設けられている。この鑑別部２４は、内部に厚みセンサやイメージセンサといった複数種類のセンサが組み込まれており、各センサから得られた情報を基に、搬送される紙幣の金種や走行状態等を鑑別し、その鑑別結果を制御部１４へ供給する。制御部１４は、得られた鑑別結果を基に、各紙幣の搬送先を決定する。具体的に制御部１４は、出金すべき正常な紙幣の搬送先を集積部２６に、出金すべきで無い異常な紙幣（以下これをリジェクト紙幣と呼ぶ）の搬送先をリジェクト収納庫２７に、それぞれ決定する。
【００２６】
切替部２５は、紙幣収納庫２１Ａの上側における前後方向のほぼ中央よりも後寄りに配置されており、制御部１４の制御に基づき、紙幣に当接して進行方向を変化させるブレード（図中三角形で示す）の傾斜角度を変更することにより、紙幣の進行方向を切り替える。また切替部２５は、搬送部２３により、下側の鑑別部２４、後側の集積部２６及び前側のリジェクト収納庫２７とそれぞれ接続されている。
【００２７】
この切替部２５は、下方から搬送されてきた紙幣それぞれの進行方向を、制御部１４において決定された搬送先に応じて切り替える。具体的に切替部２５は、正常な紙幣を後側の集積部２６へ進行させ、異常な紙幣（すなわちリジェクト紙幣）を前側のリジェクト収納庫２７へ進行させるように、紙幣の搬送経路を切り替える。
【００２８】
集積部２６は、収納筐体２０内における最も上側の後側に位置しており、内部に紙幣を集積するための空間である集積空間２６Ｓを形成している。この集積部２６は、集積空間２６Ｓ内に、上面に紙幣を集積するためのステージ２６Ｔ及び紙幣を内部に集積するための集積籠２６Ｃを有している。
【００２９】
ステージ２６Ｔは、上下方向に薄い板状に形成されており、前後方向の長さ及び左右方向の長さが、紙幣における短辺及び長辺の長さよりもそれぞれ長くなっている。集積籠２６Ｃは、上面が開放された箱状に形成されており、その内部にステージ２６Ｔを収容し、当該ステージ２６Ｔの上面に紙幣を集積させる。この集積籠２６Ｃは、図示しない回動機構により回動され、図２に示したようにステージ２６Ｔを傾斜させた傾斜姿勢や、後述するようにステージ２６Ｔをほぼ水平とする水平姿勢に遷移することができる。この傾斜姿勢において、ステージ２６Ｔの傾斜角度は、放出部２６Ｒの近傍における搬送部２３の傾斜角度よりも大きく、すなわち鉛直に近い角度になっている。
【００３０】
また集積部２６における前側上寄りには、切替部２５から搬送されてきた紙幣を集積空間２６Ｓ内へ放出する放出部２６Ｒが設けられている。このため集積部２６は、切替部２５から搬送され放出部２６Ｒにより集積空間２６Ｓ内へ放出された紙幣を、ステージ２６Ｔ上に集積させることができる。このときステージ２６Ｔ上に集積された紙幣は、束状に積み重ねられている。このため以下では、このように積み重ねられた紙幣を紙幣束とも呼ぶ。
【００３１】
さらにステージ２６Ｔは、図示しないステージ移動機構により、集積籠２６Ｃに対して上下方向へ移動することができる。また集積部２６の上面、すなわち束搬送ユニット１３と対向する面には、上下方向に貫通する集積孔２６Ｈが穿設されている。集積孔２６Ｈにおける前後方向の長さは、ステージ２６Ｔにおける前後方向の長さよりも僅かに長くなっている。
【００３２】
この集積孔２６Ｈは、収納筐体２０の上面も貫通しており、集積空間２６Ｓと収納筐体２０よりも上側の空間とを連通させている。このため集積部２６は、ステージ２６Ｔに紙幣を集積した状態で当該ステージ２６Ｔを上方へ移動させることにより、当該ステージ２６Ｔ及び集積した束状の紙幣（紙幣束）を収納筐体２０の上面よりも上側まで持ち上げることができる。
【００３３】
リジェクト収納庫２７は、収納筐体２０内における最も上側の前側に位置している。リジェクト収納庫２７の内部には、複数の仕切板２７Ｐによって空間が区切られることにより、第１収納空間２７Ｓ１及び第２収納空間２７Ｓ２が形成されている。
【００３４】
第１収納空間２７Ｓ１は、リジェクト収納庫２７内における後側、すなわち切替部２５に近い側に設けられている。またリジェクト収納庫２７における後側上寄り、すなわち第１収納空間２７Ｓ１と連通する箇所には、切替部２５から搬送されてきた紙幣を第１収納空間２７Ｓ１内へ放出する放出部２７Ｒが設けられている。このためリジェクト収納庫２７は、切替部２５から搬送され放出部２７Ｒにより第１収納空間２７Ｓ１内へ放出された紙幣（すなわちリジェクト紙幣）を収納することができる。
【００３５】
リジェクト収納庫２７の上面、すなわち束搬送ユニット１３と対向する面には、上下方向に貫通する取込孔２７Ｈが穿設されている。取込孔２７Ｈにおける前後方向の長さは、集積部２６の集積孔２６Ｈにおける前後方向の長さとほぼ同等となっている。さらに取込孔２７Ｈは、収納筐体２０の上面も貫通しており、第２収納空間２７Ｓ２と収納筐体２０よりも上側の空間とを連通させている。
【００３６】
第２収納空間２７Ｓ２は、リジェクト収納庫２７内における前側に設けられており、上方斜め後側の取込孔２７Ｈと連通している。また取込孔２７Ｈの下側であって第１収納空間２７Ｓ１の上側には、案内傾斜面としての傾斜面２７Ｌが形成されている。傾斜面２７Ｌは、取込孔２７Ｈの後端近傍に位置する案内開始点２７Ｇから、前下側に位置する第２収納空間２７Ｓ２の近傍へ向けて傾斜された平面となっている。換言すれば、傾斜面２７Ｌは、後側、すなわち案内開始点２７Ｇ側であり切替部２５や集積部２６、或いは後述する孔中心線Ｃ２に近い側が高く、その反対側である前側、すなわち第２収納空間２７Ｓ２に近い側が低くなっている。
【００３７】
このためリジェクト収納庫２７は、取込孔２７Ｈの後上方から紙幣束Ｗが投入された場合、この紙幣束Ｗを案内開始点２７Ｇの近傍から傾斜面２７Ｌに沿って摺動させながら前下方へ案内し、第２収納空間２７Ｓ２内に到達させ、収納することができる。
【００３８】
因みに紙幣収納庫及びリジェクト収納庫２７は、収納筐体２０に対し前方向へ引き抜かれることにより、当該収納筐体２０から取り外すことができ、当該収納筐体２０に対し位置を合わせて後方向へ押し込まれることにより、当該収納筐体２０に装着することができる。
【００３９】
ここで、集積孔２６Ｈの後端部分を集積孔端部２６ＨＥとし、取込孔２７Ｈの前端部分を取込孔端部２７ＨＥとして、さらに該集積孔端部２６ＨＥ及び該取込孔端部２７ＨＥにより挟まれる範囲を孔範囲２０Ｅと定義する。
【００４０】
挟持搬送ガイド２８は、上下方向に薄く前後方向に長い板状に形成されている。挟持搬送ガイド２８における前後方向の長さは、孔範囲２０Ｅから集積孔２６Ｈ又は取込孔２７Ｈの何れか一方を除いた長さに相当する。この挟持搬送ガイド２８は、図示しない移動機構によって孔範囲２０Ｅの範囲内で前後方向へ移動することにより、集積孔２６Ｈ又は取込孔１７Ｈの何れか一方を閉塞する。
【００４１】
また以下では、説明の都合により、収納ユニット１２における紙幣収納庫２１及びリジェクト収納庫２７を着脱できる面を着脱面１２Ｐと呼び、搬送部２３が組み込まれた面を搬送面１２Ｑと呼ぶ。
【００４２】
［１−１−２．束搬送ユニットの構成］
紙幣出金機１０では、前面用束搬送ユニット１３Ｆ（図２（Ａ））及び後面用束搬送ユニット１３Ｒ（図２（Ｂ））といった２種類の束搬送ユニット１３が用いられ、この何れかが収納ユニット１２と組み合わされる。以下では、前面用束搬送ユニット１３Ｆを例に説明する。
【００４３】
前面用束搬送ユニット１３Ｆ（図３）は、全体として、上下方向に短く前後方向に長い、扁平な直方体状に形成されており、その前後方向の長さが収納ユニット１２よりも長くなっている。前面用束搬送ユニット１３Ｆは、直方体状の束搬送筐体３０Ｆ内に、媒体束としての紙幣束を搬送する束搬送部１３Ｃを構成している。束搬送部１３Ｃは、上ベルト３１、下ベルト３４及びラッセル部３５、並びに収納ユニット１２の挟持搬送ガイド２８といった複数の機構の組み合わせにより構成され、一端側としての前側及び他端側としての後側を結ぶ束搬送路１３Ｙに沿って、紙幣束Ｗを搬送するようになっている。
【００４４】
上ベルト３１は、束搬送筐体３０内における上側部分、すなわち束搬送路１３Ｙの上側に設けられている。上ベルト３１は、束搬送筐体３０内における前端近傍及び後端近傍にそれぞれ配置されたローラの周囲に掛け回された無端ベルトとなっており、このローラが回転されることにより、その下面を前後方向に沿って走行させる。説明の都合上、以下では、上ベルト３１における下面部分の走行方向を、当該上ベルト３１の走行方向と見なす。
【００４５】
また束搬送筐体３０Ｆにおける下面のうち前後方向の中央付近から後側に渡る広い範囲には、大きな孔でなる大孔部３０Ｈが穿設されている。大孔部３０Ｈにおける前後方向の長さは、収納ユニット１２の孔範囲２０Ｅにおける前後方向の長さに相当する。
【００４６】
下ベルト３４は、上ベルト３１を前後方向に切り詰めたような構成となっており、その上面を上ベルト３１の下面と対向ないし当接させ、前後方向に走行させる。説明の都合上、以下では、下ベルト３４における上面部分の走行方向を、当該下ベルト３４の走行方向と見なす。
【００４７】
また挟持搬送ガイド２８が前方へ移動された状態（図２（Ａ））において、集積部２６のステージ２６Ｔが上方へ移動された場合、集積孔２６Ｈが当該ステージ２６Ｔにより閉塞される。このとき前面用束搬送ユニット１３Ｆ内には、上ベルト３１と、ステージ２６Ｔ、挟持搬送ガイド２８及び下ベルト３４とにより上下方向から挟まれた束搬送路１３Ｙが形成される。因みに上ベルト３１の下面は、挟持搬送ガイド２８等の上面に載置された紙幣束Ｗの高さに応じて撓み、上方へ持ち上げられる。
【００４８】
ラッセル部３５は、前後方向に薄く上下方向に短い板状のラッセル板を有しており、その一部を上ベルト３１の下面よりも下方に突出させている。このラッセル部３５は、図示しない移動機構により、前後方向に沿って、すなわち束搬送路１３Ｙに沿って移動する。このときラッセル部３５は、進行方向側に紙幣束Ｗと隣接していれば、この紙幣束Ｗをラッセル板によりステージ２６Ｔ、挟持搬送ガイド２８及び下ベルト３４の上面に沿って押し出し、搬送することができる。
【００４９】
またラッセル部３５は、束搬送路１３Ｙの前端近傍にラッセル板を当該束搬送路１３Ｙから退避させる退避機構（図示せず）が組み込まれている。このためラッセル部３５は、移動機構により移動されて前端近傍に到達すると、退避機構によりラッセル板を回動させて束搬送路１３Ｙの上方に退避させ、紙幣束Ｗと干渉しない状態となる。
【００５０】
因みにラッセル部３５のラッセル板は、左右方向に関し離散的な数カ所のみ上ベルト３１の下面よりも下方へ突出させている。また下ベルト３４、並びに収納ユニット１２における挟持搬送ガイド２８及びステージ２６Ｔの上面には、このラッセル板に応じて前後方向に沿った隙間や溝等が形成されており、ラッセル板の一部をこの上面よりも下側に入り込ませる。このためラッセル部３５は、束搬送路１３Ｙ内に紙幣束がある場合、その最上面から最下面までの全ての紙幣を束状に集積させたまま、ラッセル板により前後方向へ押して進行させることができる。
【００５１】
束搬送筐体３０Ｆの前端には、束搬送路１３Ｙ内を前方へ搬送されてきた紙幣束を操作者に引き渡す出金口３６が形成されている。この出金口３６の近傍には、紙幣束Ｗを検知するためのセンサ３７が設けられている。センサ３７は、所定の検知光を発光する発光素子及びこの検知光を受光する受光素子の組み合わせにより構成されており、当該検知光の光路を束搬送路１３Ｙと交差させている。このセンサ３７は、検知光の受光結果を制御部１４に通知する。制御部１４は、この受光結果を基に、出金口３６に紙幣束Ｗがあるか否かを判断することができる。因みに出金口３６は、現金自動支払機１（図１）の筐体２内に実装された場合に、筐体出金口５の後側（すなわち内側）に位置することになる。
【００５２】
また出金口３６には、開閉式のシャッタ（図示せず）が設けられている。このシャッタは、通常時にはスプリングの弾性力を利用することにより出金口３６を閉塞する。その一方でこのシャッタは、ラッセル部３５が出金口３６の近傍に到達すると、当該ラッセル部３５から前方向へ向かう力を受けることにより当該出金口３６を開放する。すなわちこのシャッタは、専用の動力源を有しておらず、ラッセル部３５の前後方向への移動と連動して、出金口３６を開閉させるようになっている。
【００５３】
因みに後面用束搬送ユニット１３Ｒ（図２（Ｂ））は、この前面用束搬送ユニット１３Ｆと比較して、束搬送筐体３０Ｆに代わる束搬送筐体３０Ｒに対し大孔部３０Ｈが前寄りに形成され、また下ベルト３４の後端がやや前方に位置するよう前後方向に短縮されている点において相違するものの、他の部分において同様に構成されている。
【００５４】
［１−１−３．紙幣出金機の組立］
ところで紙幣出金機１０は、上述したように、その製造時に、下側の収納ユニット１２に対し、上側の束搬送ユニット１３（前面用束搬送ユニット１３Ｆ又は後面用束搬送ユニット１３Ｒ）が取り付けられる。このうち束搬送ユニット１３は、出金口３６を操作者に向けるため、紙幣出金機１０における方向が定められている。一方、収納ユニット１２は、紙幣出金機１０における取付方向を２通りに切り替えることができる。
【００５５】
すなわち紙幣出金機１０は、例えば図３に示したように、収納ユニット１２の着脱面１２Ｐを前側に向けて前面用束搬送ユニット１３Ｆに取り付ける。これにより紙幣出金機１０は、図２（Ａ）に示したように、紙幣収納庫２１及びリジェクト収納庫２７を前側から着脱し得る状態に組み立てられる。以下、このように着脱面１２Ｐが前側に配置された紙幣出金機１０を前面機１０Ｆとも呼ぶ。
【００５６】
また紙幣出金機１０は、図３に示した場合と前後反対に、収納ユニット１２の着脱面１２Ｐを後側に向けて後面用束搬送ユニット１３Ｒに取り付ける。これにより紙幣出金機１０は、図２（Ｂ）に示したように、紙幣収納庫２１及びリジェクト収納庫２７を後側から着脱し得る状態に組み立てられる。以下、このように着脱面１２Ｐが後側に配置された紙幣出金機１０を後面機１０Ｒとも呼ぶ。
【００５７】
ここで、リジェクト収納庫２７の傾斜面２７Ｌ及び案内開始点２７Ｇに着目する。後面機１０Ｒ（図２（Ｂ））において、傾斜面２７Ｌは、前側が高く、後側が低くなっている。このため案内開始点２７Ｇは、取込孔２７Ｈにおける前側、すなわち出金口３６に近い側に位置している。一方、前面機１０Ｆ（図２（Ａ））において、傾斜面２７Ｌは、後側が高く、前側が低くなっている。このため案内開始点２７Ｇは、取込孔２７Ｈにおける後側、すなわち出金口３６から遠い側に位置している。
【００５８】
このように紙幣出金機１０は、後面機１０Ｒの場合と前面機１０Ｆの場合との間で、傾斜面２７Ｌの傾斜方向を互いに相違させており、これに伴って取込孔２７Ｈに対する案内開始点２７Ｇの相対的な位置も互いに相違させている。
【００５９】
因みに現金自動支払機１（図１）では、前面機１０Ｆが組み込まれる場合には、筐体２における前面部分が開閉可能な扉として構成され、この扉が開放された状態で、紙幣収納庫２１及びリジェクト収納庫２７が前側から着脱される。また現金自動支払機１では、後面機１０Ｒが組み込まれる場合には、筐体２における後面部分が開閉可能な扉として構成され、この扉が開放された状態で、紙幣収納庫２１及びリジェクト収納庫２７が後側から着脱される。
【００６０】
［１−２．紙幣出金機の動作］
次に、現金自動支払機１の紙幣出金機１０における出金に関する動作について、前面機１０Ｆ及び後面機１０Ｒそれぞれについて説明する。この紙幣出金機１０は、組立時等に、前面機１０Ｆ又は後面機１０Ｒの何れであるかに応じて、それぞれの構成に適した制御プログラムが制御部１４の記憶部等に記憶されている。
【００６１】
紙幣出金機１０は、操作表示部６（図１）を介して操作者から出金の指示及び出金額を受け付けると、出金取引を開始する。具体的に紙幣出金機１０は、制御部１４を主制御部９と連携させながら、制御プログラム等を読み出して実行することにより、その構成に応じた処理を開始する。
【００６２】
［１−２−１．後面機の動作］
まず、後面機１０Ｒについて説明する。後面機１０Ｒの制御部１４は、図４（Ａ）に示すように、まず集積部２６においてステージ２６Ｔ及び集積籠２６Ｃを傾斜姿勢とする。また制御部１４は、挟持搬送ガイド２８を前方へ移動させることにより、集積部２６の集積孔２６Ｈを閉塞すると共に取込孔２７Ｈを開放する。さらに制御部１４は、ラッセル部３５をステージ２６Ｔよりも僅かに後側となる位置に移動させる。
【００６３】
この状態で制御部１４は、紙幣収納庫２１から出金額に応じた金種及び枚数の紙幣を繰出部２２により順次繰り出させ、搬送部２３により上方へ搬送し、鑑別部２４により鑑別させる。このとき制御部１４は、鑑別部２４から得られる鑑別結果を基に、鑑別された紙幣が出金可能であるか否かに応じて、その搬送先を集積部２６又はリジェクト収納庫２７に決定する。
【００６４】
続いて制御部１４は、鑑別部２４により鑑別された紙幣を、搬送部２３により前方及び上方へ搬送して切替部２５に到達させる。切替部２５は、制御部１４の制御に基づき、紙幣それぞれについて決定された搬送先に応じて進行方向を切り替え、集積部２６又はリジェクト収納庫２７へ進行させる。
【００６５】
集積部２６は、搬送されてきた紙幣を放出部２６Ｒにより集積空間２６Ｓ内へ放出し、ステージ２６Ｔ上に集積させる。このとき集積部２６は、集積孔２６Ｈの上方が挟持搬送ガイド２８により閉塞されているため、放出部２６Ｒから放出された紙幣が上方へ舞い上がることを防止し、ステージ２６Ｔ上に安定的に集積させることができる。また紙幣は、重力の作用により、ステージ２６Ｔ上で集積籠２６Ｃ等の後側面に当接した状態で揃えられる。リジェクト収納庫２７は、搬送されてきた紙幣を放出部２７Ｒにより第１収納空間２７Ｓ１内へ放出して収納させる。
【００６６】
制御部１４は、搬送先を集積部２６とした紙幣、すなわち集積部２６に集積した紙幣の金種及び枚数を逐次集計しており、集計した金額が出金額に到達した段階で、紙幣収納庫２１からの紙幣の繰出を中止する。この結果、集積部２６のステージ２６Ｔ上には、出金額の紙幣が束状に集積された紙幣束Ｗが載置される。
【００６７】
次に制御部１４は、挟持搬送ガイド２８を後方へ移動させることにより集積部２６の集積孔２６Ｈを開放すると共に取込孔２７Ｈを閉塞してから、集積部２６のステージ２６Ｔ及び集積籠２６Ｃを水平姿勢に回動させる。続いて制御部１４は、図４（Ｂ）に示すように、当該ステージ２６Ｔを上方へ移動させることにより、紙幣束Ｗを持ち上げさせる。
【００６８】
これにより集積部２６は、集積孔２６Ｈを介して、紙幣束Ｗを収納ユニット１２内から束搬送ユニット１３内へ引き渡すことができる。このとき制御部１４は、ステージ２６Ｔの上面を挟持搬送ガイド２８の上面と同等の高さに揃えて、当該ステージ２６Ｔにより束搬送路１３Ｙの一部を構成させると共に、当該ステージ２６Ｔ上の紙幣束Ｗを当該束搬送路１３Ｙ内に位置させる。
【００６９】
さらに制御部１４は、上ベルト３１を前方へ走行させると共にラッセル部３５を前方へ移動させることにより、紙幣束Ｗを束搬送路１３Ｙに沿って前方へ進行させていく。このとき制御部１４は、紙幣束Ｗが下ベルト３４の上面に当接する位置に到達すると、上ベルト３１及び当該下ベルト３４により当該紙幣束Ｗを上下から挟持し、両ベルトの走行により前方へ搬送させる。
【００７０】
やがて制御部１４は、図４（Ｃ）に示すように、センサ３７からの通知を基に紙幣束Ｗが出金口３６に到達したことを検知すると、上ベルト３１及び下ベルト３４の走行を停止させる。因みに制御部１４は、このときステージ２６Ｔを下方へ移動させ、また挟持搬送ガイド２８を前方へ移動させて集積孔２６Ｈを閉塞すると共に取込孔２７Ｈを開放させて、出金動作を終了する。さらに制御部１４は、ラッセル部３５を束搬送路１３Ｙの前端近傍へ到達させることにより、退避機構（図示せず）によって束搬送路１３Ｙの上方に退避させる。
【００７１】
これにより前面機１０Ｆは、出金口３６から紙幣束Ｗの一部を露出させ、且つ上ベルト３１及び下ベルト３４により当該紙幣束Ｗの後端近傍を挟持した状態として、操作者にこの紙幣束Ｗを取り出させることができる。
【００７２】
ここで制御部１４は、センサ３７からの通知を基に、出金口３６から紙幣束Ｗが取り出されたか否かを監視している。そこで所定の待機時間（例えば３０秒間）が経過しても紙幣束Ｗが取り出されなかった場合、制御部１４は、紙幣束Ｗの取り忘れが発生したものと見なし、この紙幣束Ｗを取り込む取込動作を開始する。以下、このように操作者が取り忘れた紙幣を取忘紙幣とも呼ぶ。
【００７３】
具体的に制御部１４は、図５（Ａ）に示すように、ラッセル部３５を上方へ退避させた状態のまま上ベルト３１及び下ベルト３４を後方へ走行させることにより、紙幣束Ｗを束搬送路１３Ｙ内に取り込み、当該束搬送路１３Ｙに沿って後方へ進行させていく。このとき制御部１４は、図示しないセンサにより紙幣束Ｗがラッセル部３５よりも後方に到達したことを検知すると、当該ラッセル部３５を後方へ移動させることにより紙幣束Ｗの前側で束搬送路１３Ｙ内へ復帰させてから、さらに後方へ移動させることにより、紙幣束Ｗの後方への搬送を補助する。
【００７４】
やがて紙幣束Ｗは、図５（Ｂ）に示すように、ラッセル部３５の移動により取込孔２７Ｈに到達すると、束搬送路１３Ｙから取込孔２７Ｈへ落下する。このとき紙幣束Ｗは、束搬送路１３Ｙから僅かに下方へ下降した段階で、案内開始点２７Ｇの近傍において傾斜面２７Ｌに当接し、その下面を当該傾斜面２７Ｌに摺動させながら後下方へ下降していき、やがて第２収納空間２７Ｓ２へ到達すると、当該第２収納空間２７Ｓ２に収納される。
【００７５】
かくして制御部１４は、後面機１０Ｒの場合、操作者が取り忘れた紙幣束Ｗを束搬送路１３Ｙの内部に取り込んで後方へ搬送した後、取込孔２７Ｈから落下させることにより、案内開始点２７Ｇの近傍から傾斜面２７Ｌに沿って下降させた後、第２収納空間２７Ｓ２に収納させることができる。
【００７６】
［１−２−２．前面機の動作］
次に、前面機１０Ｆについて説明する。前面機１０Ｆの制御部１４は、図４（Ａ）の一部と対応する図６（Ａ）に示すように、集積部２６において集積籠２６Ｃ及びステージ２６Ｔを傾斜姿勢とする。また制御部１４は、挟持搬送ガイド２８を前方へ移動させることにより、後面機１０Ｒの場合と同様に集積孔２６Ｈを閉塞すると共に取込孔２７Ｈを開放し、さらにラッセル部３５を最も後側に移動させる。
【００７７】
この状態で制御部１４は、後面機１０Ｒの場合と同様、出金額に応じた紙幣を集積部２６へ搬送し、ステージ２６Ｔ上に集積して紙幣束Ｗとする。因みにリジェクト収納庫２７は、搬送されてきた紙幣を放出部２７Ｒにより第１収納空間２７Ｓ１内へ放出して収納させる。
【００７８】
次に制御部１４は、図６（Ｂ）に示すように、挟持搬送ガイド２８を前方へ移動させて集積孔２６Ｈを開放すると共に取込孔２７Ｈを閉塞してから、集積部２６の集積籠２６Ｃ及びステージ２６Ｔを回動させて水平姿勢に遷移させる。続いて制御部１４は、図６（Ｃ）に示すように、ステージ２６Ｔを上昇させることにより、集積孔２６Ｈを介して紙幣束Ｗを前面用束搬送ユニット１３Ｆ内へ引き渡し、且つ当該紙幣束Ｗを束搬送路１３Ｙ上に位置させる。このときステージ２６Ｔは、束搬送路１３Ｙの一部を形成することになる。
【００７９】
その後、制御部１４は、後面機１０Ｒの場合と同様、上ベルト３１を前方へ走行させると共にラッセル部３５を前方へ移動させることにより、紙幣束Ｗを束搬送路１３Ｙに沿って前方へ進行させる。このとき制御部１４は、紙幣束Ｗが下ベルト３４の上面に当接する位置に到達すると、上ベルト３１及び当該下ベルト３４により当該紙幣束Ｗを上下から挟持し、両ベルトの走行により前方へ搬送させる。
【００８０】
やがて制御部１４は、図６（Ｄ）示すように、紙幣束Ｗが出金口３６に到達すると、上ベルト３１及び下ベルト３４の走行を停止させ、出金動作を終了して操作者に取り出させる。また制御部１４は、ラッセル部３５を束搬送路１３Ｙの前端近傍へ到達させることにより、退避機構（図示せず）によって束搬送路１３Ｙの上方に退避させる。
【００８１】
ここで制御部１４は、出金口３６から紙幣束Ｗが取り出されなかった場合、後面機１０Ｒの場合とは異なり、図７に示す取忘紙幣取込処理手順ＲＴ１及び図８に示す搬送方向切替処理手順ＲＴ２に従い、この紙幣束Ｗを取り込む取込動作を行う。
【００８２】
具体的に制御部１４は、操作者が紙幣束Ｗを取り忘れたと判断すると、取忘紙幣取込処理手順ＲＴ１（図７）を開始してステップＳＰ１へ移る。ステップＳＰ１において制御部１４は、取込孔２７Ｈが開放されていた場合、挟持搬送ガイド２８を前方へ移動させることにより当該取込孔２７Ｈを閉塞させ（図６（Ｄ））、次のステップＳＰ２へ移る。ただしこのステップＳＰ１は、取込孔２７Ｈが既に閉塞されていた場合には省略される。
【００８３】
ステップＳＰ２において制御部１４は、図９（Ａ）に示すように、ラッセル部３５を上方へ退避させた状態のまま、上ベルト３１及び下ベルト３４を後方へ走行させることにより、紙幣束Ｗを束搬送路１３Ｙ内へ取り込み、当該束搬送路１３Ｙに沿って後方へ進行させていく。続いて制御部１４は、図示しないセンサにより、紙幣束Ｗがラッセル部３５よりも後側まで移動したことを検知すると、次のステップＳＰ３へ移る。
【００８４】
ステップＳＰ３において制御部１４は、図９（Ｂ）に示すように、紙幣束Ｗの前側においてラッセル部３５を束搬送路１３Ｙ内へ復帰させ、次のステップＳＰ４へ移る。これによりラッセル部３５は、紙幣束Ｗを後方へ搬送可能な状態となる。ステップＳＰ４において制御部１４は、図９（Ｃ）に示すように、ラッセル部３５により紙幣束Ｗを後方へ進行させて少なくとも取込孔２７Ｈよりも後側へ、実際にはステージ２６Ｔの上まで移動させ、次のステップＳＰ５へ移る。
【００８５】
ステップＳＰ５において制御部１４は、ラッセル部３５による紙幣束Ｗの搬送方向を切り替える処理を行う。具体的に制御部１４は、サブルーチンとして搬送方向切替処理手順ＲＴ２（図８）を開始してステップＳＰ１１へ移る。ステップＳＰ１１において制御部１４は、紙幣束Ｗが挟持搬送ガイド２８上に載置されていた場合、図９（Ｃ）に示すように、ラッセル部３５により紙幣束Ｗを後方へ移動させてステージ２６Ｔ上に載置させ、次のステップＳＰ１２へ移る。ただしこのステップＳＰ１１は、既に紙幣束Ｗがステージ２６Ｔ上まで搬送されていた場合には省略される。
【００８６】
ステップＳＰ１２において制御部１４は、図９（Ｄ）に示すように、ステージ２６Ｔを下降させることにより、紙幣束Ｗを束搬送路１３Ｙの外部、すなわちラッセル部３５から離れた箇所に移動させ、次のステップＳＰ１３へ移る。ステップＳＰ１３において制御部１４は、図９（Ｅ）に示すように、束搬送路１３Ｙにおいてラッセル部３５を後方へ移動させることにより、当該ラッセル部３５を紙幣束Ｗよりも後側に位置させ、次のステップＳＰ１４へ移る。
【００８７】
ステップＳＰ１４において制御部１４は、図１０（Ａ）に示すように、ステージ２６Ｔを上昇させることにより、紙幣束Ｗを再び束搬送路１３Ｙ内へ戻した後、次のステップＳＰ１５へ移って搬送方向切替処理手順ＲＴ２を終了し、元の取忘紙幣取込処理手順ＲＴ１（図７）のステップＳＰ６へ移る。この結果、ラッセル部３５は、束搬送路１３Ｙにおいて、紙幣束Ｗの後側に位置することになる。
【００８８】
すなわち制御部１４は、ステージ２６Ｔを利用した紙幣束Ｗの上下方向への移動と、束搬送路１３Ｙ内におけるラッセル部３５の前後方向への移動とを組み合わせることにより、ラッセル部３５を束搬送路１３Ｙから退避させずに、紙幣束Ｗの前側から後側へ移動させることができる。
【００８９】
ステップＳＰ６において制御部１４は、まず図１０（Ｂ）及び（Ｃ）に示すように、ラッセル部３５を前方へ移動させることにより、紙幣束Ｗを挟持搬送ガイド２８の上面であって、且つ取込孔２７Ｈの後側まで搬送してから、ステージ２６Ｔを下降させる。続いて制御部１４は、図１０（Ｄ）に示すように、ラッセル部３５を停止させたまま挟持搬送ガイド２８を後方へ移動させ、次のステップＳＰ７へ移る。これにより制御部１４は、取込孔２７Ｈを開放させ、且つ当該取込孔２７Ｈの後側、すなわち案内開始点２７Ｇが位置する側に紙幣束Ｗを位置させ、その後側にラッセル部３５を当接させることができる。
【００９０】
ステップＳＰ７において制御部１４は、図１０（Ｅ）に示すように、ラッセル部３５を前方へ移動させることにより紙幣束Ｗを取込孔２７Ｈへ落下させた後、次のステップＳＰ８へ移って取忘紙幣取込処理手順ＲＴ１を終了する。このとき紙幣束Ｗは、後面機１０Ｒの場合と前後対称に下降していく。具体的に紙幣束Ｗは、束搬送路１３Ｙから僅かに下方へ下降した段階で、案内開始点２７Ｇの近傍において傾斜面２７Ｌに当接し、その下面を当該傾斜面２７Ｌに摺動させながら前下方へ下降していき、やがて第２収納空間２７Ｓ２へ到達すると、当該第２収納空間２７Ｓ２に収納される。
【００９１】
かくして制御部１４は、前面機１０Ｆの場合、操作者が取り忘れた紙幣束Ｗを束搬送路１３Ｙの内部に取り込んで取込孔２７Ｈよりも後方へ搬送し、ラッセル部３５を紙幣束Ｗの後側へ移動させてから、当該紙幣束Ｗを取込孔２７Ｈから落下させる。これにより制御部１４は、紙幣束Ｗを案内開始点２７Ｇの近傍から傾斜面２７Ｌに沿って下降させた後、第２収納空間２７Ｓ２に収納させることができる。
【００９２】
［１−３．効果等］
以上の構成において、第１の実施の形態による紙幣出金機１０は、収納ユニット１２の着脱面１２Ｐを前方向又は後方向へ向け、束搬送ユニット１３（前面用束搬送ユニット１３Ｆ又は後面用束搬送ユニット１３Ｒ）に組み付けることにより、前面機１０Ｆ（図２（Ａ））又は後面機１０Ｒ（図２（Ｂ））として組み立てることができる。
【００９３】
後面機１０Ｒにおいて紙幣束Ｗの取り忘れが発生した場合、紙幣出金機１０の制御部１４は、紙幣束Ｗを束搬送路１３Ｙに取り込み、取込孔２７Ｈを開放した上で、ラッセル部３５により後方へ進行させる（図５）。これにより制御部１４は、紙幣束Ｗを取込孔２７Ｈにおける案内開始点２７Ｇに近い箇所から落下させることができるので、当該紙幣束Ｗの姿勢や集積状態を殆ど変化させること無く、その下面を傾斜面２７Ｌに摺動させながら後下方へ下降させ、第２収納空間２７Ｓ２へ到達させることができる。
【００９４】
また前面機１０Ｆにおいて紙幣束Ｗの取り忘れが発生した場合、紙幣出金機１０の制御部１４は、取忘紙幣取込処理手順ＲＴ１（図７）に従い、紙幣束Ｗを取込孔２７Ｈの後側へ搬送した上で、当該取込孔２７Ｈに対し案内開始点２７Ｇに近い箇所から当該紙幣束Ｗを落下させる。これにより制御部１４は、後面機１０Ｒの場合と同様、紙幣束Ｗの姿勢や集積状態を殆ど変化させること無く傾斜面２７Ｌに沿って下降させ、第２収納空間２７Ｓ２へ到達させることができる。
【００９５】
特に紙幣出金機１０では、前面機１０Ｆ及び後面機１０Ｒの２通りに組み立てるため、収納ユニット１２の着脱面１２Ｐを前側及び後側の何れにも向ける場合がある。これに伴い紙幣出金機１０では、取込孔２７Ｈに対し案内開始点２７Ｇが前側に位置する場合及び後側に位置する場合の双方があり、出金口３６から見て当該案内開始点２７Ｇが取込孔２７Ｈの近い側に位置する場合及び遠い側に位置する場合の双方があり得る。
【００９６】
そこで制御部１４は、前面機１０Ｆを構成する場合、すなわち出金口３６から見て取込孔２７Ｈにおける遠い側に案内開始点２７Ｇが位置する場合に限り、処理工程が増えることと引き替えに、紙幣束Ｗを取込孔２７Ｈの案内開始点２７Ｇ側へ搬送してから落下させることとした。これにより制御部１４は、いわば出金口３６に対し「反対向き」に形成されている傾斜面２７Ｌを、案内開始点２７Ｇの近傍から利用でき、下降中に紙幣束Ｗを殆ど崩すことなく、第２収納空間２７Ｓ２内に整然と収納することができる。
【００９７】
また実際上、紙幣出金機１０において出金動作を行う頻度に対して、操作者による紙幣束Ｗの取り忘れが発生する頻度は極めて低く、紙幣束Ｗの取込動作を行う頻度も極めて低い。このため紙幣出金機１０では、取忘紙幣取込処理手順ＲＴ１（図７）に従った取込動作の処理工程が比較的多く、比較的長い時間を要したとしても、平均的な稼働率等に及ぼす影響を極めて小さく抑えることができる。
【００９８】
また紙幣出金機１０では、ラッセル部３５が出金口３６の近傍においてのみ束搬送路１３Ｙから退避し得る構成であるところ、制御部１４が搬送方向切替処理手順ＲＴ２（図８）に従ってステージ２６Ｔを利用することにより、当該ラッセル部３５による紙幣束Ｗの搬送方向を切り替えることができる。このため紙幣出金機１０では、取込動作だけのために、ラッセル部３５に対し、任意の箇所において搬送方向を切り替えるような複雑な構成に変更する必要が無く、当該ラッセル部３５を簡素な構成のままとすることができる。
【００９９】
以上の構成によれば、第１の実施の形態による紙幣出金機１０の制御部１４は、前面機１０Ｆにおいて紙幣束Ｗの取り忘れが発生した場合、ラッセル部３５により紙幣束Ｗを取込孔２７Ｈの後側へ搬送して、当該ラッセル部３５の搬送方向を前方向に切り替えてから、当該取込孔２７Ｈに対し案内開始点２７Ｇに近い箇所から紙幣束Ｗを落下させる。これにより制御部１４は、前面機１０Ｆ及び後面機１０Ｒの何れにおいても、傾斜面２７Ｌに対し案内開始点２７Ｇの近傍から紙幣束Ｗを摺動させることができるので、当該紙幣束Ｗの姿勢や集積状態を殆ど変化させること無く下降させ、第２収納空間２７Ｓ２に収納させることができる。
【０１００】
［２．第２の実施の形態］
図２と対応する図１１に示すように、第２の実施の形態による紙幣出金機１１０は、第１の実施の形態における収納ユニット１２及び束搬送ユニット１３に代えて、収納ユニット１１２及び束搬送ユニット１１３（前面用束搬送ユニット１１３Ｆ又は後面用束搬送ユニット１１３Ｒ）により構成されている。
【０１０１】
［２−１．収納ユニット及び束搬送ユニットの構成］
収納ユニット１１２は、第１の実施の形態による収納ユニット１２と比較して、制御部１４に代わる制御部１１４を有している点において相違するものの、他の点については同様に構成されている。制御部１１４は、第１の実施の形態による制御部１４と同様、図示しないＣＰＵを中心に構成され、ＲＯＭ、フラッシュメモリやＲＡＭ等を有しており、所定のプログラムを実行することにより出金処理等の処理を行う。また制御部１１４は、ハードディスクドライブやフラッシュメモリ等でなる記憶部に種々の情報を記憶させる。この収納ユニット１１２は、収納ユニット１２の場合と同様、着脱面１１２Ｐを前又は後に向けた状態で、束搬送ユニット１１３に組み付けられる。
【０１０２】
束搬送ユニット１１３は、第１の実施の形態と同様、前面用束搬送ユニット１１３Ｆ及び後面用束搬送ユニット１１３Ｒといった２種類の構成が用意されている。この前面用束搬送ユニット１１３Ｆ及び後面用束搬送ユニット１１３Ｒは、それぞれ収納ユニット１１２と組み合わされることにより、第１の実施の形態と同様、前面機１１０Ｆ及び後面機１１０Ｒを構成する。以下では、前面用束搬送ユニット１１３Ｆを例に説明する。
【０１０３】
前面用束搬送ユニット１１３Ｆは、図１２に示すように、第１の実施の形態による前面用束搬送ユニット１３Ｆ（図３）と比較して、束搬送筐体３０Ｆ、上ベルト３１及びラッセル部３５に代わる束搬送筐体１３０Ｆ、上ベルト１３１及びラッセル部１３５を有している点において相違するものの、他の点については同様に構成されている。また前面用束搬送ユニット１１３Ｆ内には、下ベルト３４並びに収納ユニット１１２のステージ２６Ｔ及び挟持搬送ガイド２８の各上面に沿うように、前後方向に沿った束搬送路１１３Ｙが形成されている。
【０１０４】
束搬送筐体１３０Ｆは、第１の実施の形態による束搬送筐体３０Ｆと比較して、上下方向の長さが長くなっている。また束搬送筐体１３０Ｆにおける上側板の下面１３０Ｌは、平坦に形成されている。上ベルト１３１は、第１の実施の形態による上ベルト３１が前後方向に短縮され、下ベルト３４と同等の長さとなっている。
【０１０５】
ラッセル部１３５は、第１の実施の形態によるラッセル部３５とは異なった構成となっている。具体的にラッセル部１３５は、上下方向に薄い板状の基板１４１を中心に構成されている。基板１４１は、前後方向の長さが紙幣の短辺よりも長くなっている。この基板１４１は、後端に後ラッセル板１４２が設けられ、また前端に前ラッセル板１４３が設けられている。
【０１０６】
後ラッセル板１４２は、前後方向に薄い板状に形成され、基板１４１の後端から下方へ向けて延設されている。前ラッセル板１４３は、後ラッセル板１４２と前後対称に構成されており、基板１４１の前端から下方へ向けて延設されている。因みに後ラッセル板１４２及び前ラッセル板１４３は、第１の実施の形態におけるラッセル部３５のラッセル板と対応している。
【０１０７】
基板１４１の上面における前後左右の中央近傍には、軸受部１４４が設けられている。軸受部１４４は、前後方向及び左右方向の長さが基板１４１よりも十分に短い直方体状に形成されている。軸受部１４４における左右の両側面には、その中央付近に、左右方向に貫通する丸孔でなる軸孔１４４Ｈが穿設されている。この軸孔１４４Ｈには、回動軸１４５が挿通されている。
【０１０８】
回動軸１４５は、中心軸を左右方向に向けた円柱状に形成されており、左右方向の長さが挟持搬送ガイド２８よりも長く、外径が軸孔１４４Ｈの孔径よりも僅かに小さくなっている。このためラッセル部１３５は、回動軸１４５を中心として、矢印Ｒ１又は矢印Ｒ２により示す方向、すなわち図１２における時計回り又は反時計回りに回動することができる。
【０１０９】
さらに軸受部１４４の上面には、フリクションブロック１４６が取り付けられている。フリクションブロック１４６は、例えばゴムのように弾性を有する高摩擦体により構成されており、その上側に上曲面１４６Ｓが形成されている。この上曲面１４６Ｓは、左右方向から見て、軸孔１４４Ｈ及び回動軸１４５と中心を共有する円弧状に形成されている。このためフリクションブロック１４６の上曲面１４６Ｓは、ラッセル部１３５が回動軸１４５を中心に回動した場合であっても、最も上側となる箇所の高さを常にほぼ一定に保つことができる。
【０１１０】
このラッセル部１３５は、第１の実施の形態によるラッセル部３５と同様、図示しない移動機構により前後方向へ移動される。具体的にラッセル部１３５は、この移動機構により回動軸１４５が支持されることにより、フリクションブロック１４６の上曲面１４６Ｓを束搬送筐体１３０Ｆの下面１３０Ｌに当接させている。またラッセル部１３５は、当該回動軸１４５に対し、その高さを維持したまま、すなわちフリクションブロック１４６を下面１３０Ｌに当接させたまま、前後方向へ向かう力が加えられる。
【０１１１】
ここでフリクションブロック１４６は、上述したように高摩擦体によって構成されているため、移動機構によりラッセル部１３５が前後方向へ移動される場合に、下面１３０Ｌとの間に摩擦を生じさせ、この摩擦によって当該ラッセル部１３５全体を回動させる。
【０１１２】
例えばラッセル部１３５は、前方へ移動される場合、フリクションブロック１４６と下面１３０Ｌとの間に生じる摩擦により、当該フリクションブロック１４６を図１２における矢印Ｒ１の方向、すなわち時計回りに回転させようとする。これによりラッセル部１３５は、図１３（Ａ）に示すように、後ラッセル板１４２の下端をステージ２６Ｔ又は挟持搬送ガイド２８の上面に形成された溝部（図示せず）に入り込ませ、当該後ラッセル板１４２の前面を紙幣束Ｗの後側に当接させる。以下、このようなラッセル部１３５の姿勢を前搬送姿勢と呼ぶ。ラッセル部１３５は、さらに前方へ移動されると、図示しないストッパにより矢印Ｒ１方向への回動が規制され、この前搬送姿勢を維持したまま、紙幣束Ｗを束搬送路１１３Ｙ（図１２）に沿って前方向へ搬送する。
【０１１３】
またラッセル部１３５は、後方へ移動される場合、フリクションブロック１４６と下面１３０Ｌとの間に生じる摩擦により、当該フリクションブロック１４６を図１２における矢印Ｒ２の方向、すなわち反時計回りに回転させようとする。これによりラッセル部１３５は、図１３（Ｂ）に示すように、前ラッセル板１４３の下端をステージ２６Ｔ又は挟持搬送ガイド２８の上面に形成された溝部（図示せず）に入り込ませ、当該前ラッセル板１４３の後面を紙幣束Ｗの前側に当接させる。以下、このようなラッセル部１３５の姿勢を後搬送姿勢と呼ぶ。ラッセル部１３５は、さらに後方へ移動されると、図示しないストッパにより矢印Ｒ２方向への回動が規制され、この後搬送姿勢を維持したまま、紙幣束Ｗを束搬送路１１３Ｙに沿って後方向へ搬送する。
【０１１４】
このようにラッセル部１３５は、紙幣束Ｗのほぼ真上に位置する状態において、移動機構（図示せず）により前方向又は後方向へ移動されると、フリクションブロック１４６と下面１３０Ｌとの間に生じる摩擦により回動し、前搬送姿勢又は後搬送姿勢となって、紙幣束Ｗを前方向又は後方向へ搬送できる。またラッセル部１３５は、同一方向へ進行し続ける間、フリクションブロック１４６と下面１３０Ｌとの間に生じる摩擦により、その姿勢（前搬送姿勢又は後搬送姿勢）を維持したまま進行する。
【０１１５】
因みに後面用束搬送ユニット１１３Ｒは、全体的に前面用束搬送ユニット１１３Ｆと類似した構成となっているものの、一部の点において相違する。この相違点は、第１の実施の形態における前面用束搬送ユニット１３Ｆ及び後面用束搬送ユニット１３Ｒの相違点と同様である。
【０１１６】
［２−２．紙幣束の搬送動作］
次に、紙幣出金機１１０における出金に関する動作について、前面機１１０Ｆの場合を例に説明する。前面機１１０Ｆの制御部１１４は、出金動作を開始すると、まず図１１（Ａ）に示したように、ラッセル部１３５をステージ２６Ｔのほぼ真上に位置させ、且つ前搬送姿勢とする。また制御部１１４は、第１の実施の形態と同様（図６（Ａ）〜（Ｃ））、集積部２６のステージ２６Ｔ上に紙幣を集積し、当該ステージ２６Ｔを水平姿勢に遷移させてから上昇させる。
【０１１７】
これにより前面機１１０Ｆは、図１４（Ａ）に示すように、束搬送路１１３Ｙ内のステージ２６Ｔ上に紙幣束Ｗを位置させ、且つ当該紙幣束Ｗを前搬送姿勢のラッセル部１３５により覆った状態となる。この状態で制御部１１４は、ラッセル部１３５を前方へ移動させることにより、当該ラッセル部１３５を前搬送姿勢に保ったまま、後ラッセル板１４２（図１２）により紙幣束Ｗを前方向へ搬送する。
【０１１８】
やがて制御部１１４は、図１４（Ｂ）に示すように、図示しないセンサにより、紙幣束Ｗの前側部分が上ベルト１３１及び下ベルト３４の間に挟まれたことを検出すると、ラッセル部１３５の移動を停止させる。続いて制御部１１４は、上ベルト１３１及び下ベルト３４をそれぞれ前方へ走行させることにより、紙幣束Ｗを前方へ搬送する。これにより紙幣束Ｗは、図１４（Ｃ）に示すように、後側が上ベルト１３１及び下ベルト３４により挟持され、且つ前側を出金口３６から露出させた状態となる。前面機１１０Ｆは、この段階で出金動作を終了し、操作者に対し紙幣束Ｗの受け取りを促す。
【０１１９】
ここで操作者が紙幣束Ｗを取り忘れた場合、前面機１１０Ｆの制御部１１４は、当該紙幣束Ｗの取込動作を開始し、第１の実施の形態と同様、取忘紙幣取込処理手順ＲＴ１（図７）を実行する。具体的に制御部１１４は、ステップＳＰ１において、取込孔２７Ｈが開放されている場合、挟持搬送ガイド２８を前方へ移動させることにより当該取込孔２７Ｈを閉塞させ、次のステップＳＰ２へ移る。
【０１２０】
ステップＳＰ２において制御部１１４は、ラッセル部１３５を前搬送姿勢としたまま、上ベルト３１及び下ベルト３４を後方へ走行させることにより、紙幣束Ｗを束搬送路１３Ｙ内へ取り込み、図１４（Ｂ）に示したように、当該束搬送路１３Ｙに沿って後方へ進行させていく。続いて制御部１１４は、図示しないセンサにより、紙幣束Ｗがラッセル部１３５のほぼ真下まで移動したことを検知すると、次のステップＳＰ３へ移る。
【０１２１】
ステップＳＰ３において制御部１１４は、ラッセル部１３５を僅かに後方へ移動させることにより、図１４（Ｄ）に示すように後搬送姿勢に遷移させ、次のステップＳＰ４へ移る。これによりラッセル部３５は、紙幣束Ｗを後方へ搬送可能な状態となる。ステップＳＰ４において制御部１１４は、図１５（Ａ）に示すように、ラッセル部１３５により紙幣束Ｗを後方へ進行させて取込孔２７Ｈよりも後側まで移動させ、次のステップＳＰ５へ移る。このとき制御部１１４は、第１の実施の形態とは異なり、紙幣束Ｗをステージ２６Ｔの上までは搬送せず、挟持搬送ガイド２８上における取込孔２７Ｈよりも後側となる位置に止める。
【０１２２】
ステップＳＰ５において制御部１１４は、ラッセル部１３５による紙幣束Ｗの搬送方向を切り替える処理を行う。具体的に制御部１１４は、第１の実施の形態とは異なり、ラッセル部１３５を僅かに前方向へ移動させることにより、図１５（Ｂ）に示すように前搬送姿勢に遷移させ、次のステップＳＰ６へ移る。すなわち制御部１１４は、搬送方向切替処理手順ＲＴ２（図８）を行うこと無く、ラッセル部１３５により紙幣束Ｗを前方へ搬送可能な状態とすることができる。またこのとき制御部１１４は、以降の手順に備えて、ステージ２６Ｔを下降させておく。
【０１２３】
ステップＳＰ６において制御部１１４は、図１５（Ｃ）に示すように、ラッセル部１３５を停止させたまま挟持搬送ガイド２８を後方へ移動させ、次のステップＳＰ７へ移る。これにより制御部１１４は、取込孔２７Ｈを開放させ、且つ当該取込孔２７Ｈの後側、すなわち案内開始点２７Ｇが位置する側に紙幣束Ｗを位置させ、且つラッセル部１３５を前搬送状態とすることができる。
【０１２４】
ステップＳＰ７において制御部１１４は、図１５（Ｄ）に示すように、ラッセル部１３５を前方へ移動させることにより紙幣束Ｗを取込孔２７Ｈへ落下させた後、次のステップＳＰ８へ移って取忘紙幣取込処理手順ＲＴ１を終了する。このとき紙幣束Ｗは、第１の実施の形態と同様、束搬送路１１３Ｙから僅かに下方へ下降した段階で、案内開始点２７Ｇの近傍において傾斜面２７Ｌに当接し、その下面を当該傾斜面２７Ｌに摺動させながら前下方へ下降していく。その後紙幣束Ｗは、やがて第２収納空間２７Ｓ２へ到達すると、当該第２収納空間２７Ｓ２に収納される。
【０１２５】
因みに、後面機１１０Ｒ（図１１（Ｂ））において紙幣の取り忘れが発生した場合、制御部１１４は、第１の実施の形態と同様の手順により、紙幣束Ｗを取り込み、後方へ搬送して取込孔２７Ｈへ落下させる。これにより制御部１１４は、やはり第１の実施の形態と同様、紙幣束Ｗを案内開始点２７Ｇの近傍から傾斜面２７Ｌに当接させ、当該紙幣束Ｗを当該傾斜面２７Ｌに摺動させながら下降させて、第２収納空間２７Ｓ２に収納させることができる。
【０１２６】
［２−３．効果等］
以上の構成において、第２の実施の形態による紙幣出金機１１０は、収納ユニット１１２の着脱面１１２Ｐを前方向又は後方向へ向け、束搬送ユニット１１３（前面用束搬送ユニット１１３Ｆ又は後面用束搬送ユニット１１３Ｒ）に組み付けられる。これにより紙幣出金機１１０は、前面機１１０Ｆ（図１１（Ａ））又は後面機１１０Ｒ（図１１（Ｂ））として組み立てることができる。
【０１２７】
前面機１１０Ｆにおいて紙幣束Ｗの取り忘れが発生した場合、紙幣出金機１１０の制御部１１４は、第１の実施の形態と同様、取忘紙幣取込処理手順ＲＴ１（図７）に従い、紙幣束Ｗを取込孔２７Ｈの後側へ搬送した上で、当該取込孔２７Ｈに対し案内開始点２７Ｇに近い箇所から当該紙幣束Ｗを落下させる。これにより制御部１１４は、第１の実施の形態と同様、紙幣束Ｗの姿勢や集積状態を殆ど変化させること無く傾斜面２７Ｌに沿って下降させ、第２収納空間２７Ｓ２へ到達させることができる。
【０１２８】
特に紙幣出金機１１０では、束搬送路１１３Ｙ内における任意の箇所において、ラッセル部１３５の進行方向を変更するだけで、前搬送姿勢又は後搬送姿勢に切り替え、紙幣束Ｗの進行方向を切り替えることができる。すなわち紙幣出金機１１０は、紙幣束Ｗの取込動作中に、後搬送姿勢から前搬送姿勢に切り替えることができるため、搬送方向切替処理手順ＲＴ２（図８）のような煩雑な動作手順を行う必要が無い。これにより紙幣出金機１１０は、第１の実施の形態と比較して、紙幣束Ｗの搬送不良等により障害が発生する可能性を格段に低減することができる。
【０１２９】
その他の点においても、第２の実施の形態による紙幣出金機１１０は、第１の実施の形態による紙幣出金機１０と同様の作用効果を奏し得る。
【０１３０】
以上の構成によれば、第２の実施の形態による紙幣出金機１１０の制御部１１４は、前面機１１０Ｆにおいて紙幣束Ｗの取り忘れが発生した場合、ラッセル部１３５を後搬送姿勢として紙幣束Ｗを取込孔２７Ｈの後側へ搬送する。続いて制御部１１４は、ラッセル部１３５を僅かに前方向へ移動させて前搬送姿勢に切り替えてから、当該取込孔２７Ｈに対し案内開始点２７Ｇに近い箇所から紙幣束Ｗを落下させる。これにより制御部１１４は、前面機１１０Ｆ及び後面機１１０Ｒの何れにおいても、傾斜面２７Ｌに対し案内開始点２７Ｇの近傍から紙幣束Ｗを摺動させることができるので、当該紙幣束Ｗの姿勢や集積状態を殆ど変化させること無く下降させ、第２収納空間２７Ｓ２に収納させることができる。
【０１３１】
［３．第３の実施の形態］
図２（Ａ）と対応する図１６に示すように、第３の実施の形態による紙幣出金機２１０は、前面機２１０Ｆとして構成されている。この紙幣出金機２１０は、第１の実施の形態における収納ユニット１２及び束搬送ユニット１３とそれぞれ対応する、前面用収納ユニット２１２Ｆ及び前面用束搬送ユニット２１３Ｆの組み合わせにより構成されている。
【０１３２】
前面用収納ユニット２１２Ｆは、第１の実施の形態による収納ユニット１２と比較して、挟持搬送ガイド２８に代わる挟持搬送ガイド２２８を有する点においてのみ相違し、他の点については同様に構成されている。この前面用収納ユニット２１２Ｆは、着脱面２１２Ｐを前方に向け、搬送面２１２Ｑを後方に向けている。
【０１３３】
挟持搬送ガイド２２８は、図１７（Ａ）及び（Ｂ）に示すように、第１の実施の形態による挟持搬送ガイド２８と同様の板状部材でなる本体部２６１を中心に構成されている。本体部２６１は、その前端における左右方向に離散した３箇所に、後方へ向けて切り欠かれた切欠部２６１Ｓが形成されている。
【０１３４】
また本体部２６１の左右両側面における前端近傍には、当接体２６２が取り付けられている。当接体２６２は、全体として小さな直方体状に形成されており、上下方向の長さが本体部２６１における上下方向の長さよりも長くなっている。当接体２６２の上面は、本体部２６１の上面とほぼ同等に揃えられている。このため当接体２６２の下面は、本体部２６１の下面よりも下方に位置している。
【０１３５】
前面用束搬送ユニット２１３Ｆ（図１６）は、第１の実施の形態による前面用束搬送ユニット１３Ｆ（図３）と比較して、取込ガイド２３７が追加されている点において相違するものの、他の点については同様に構成されている。
【０１３６】
取込ガイド２３７は、図１７（Ａ）及び（Ｂ）に示したように、シャフト２７１を中心に構成されている。シャフト２７１は、取込孔２７Ｈにおける束搬送路２１３Ｙと連通する部分であって、案内開始点２７Ｇと反対側、すなわち前側に設けられている。このシャフト２７１は、細長い円柱状に形成されており、その中心軸を左右方向に沿わせている。因みにシャフト２７１における左右方向の長さは、挟持搬送ガイド２２８における左右方向の長さよりも長くなっている。
【０１３７】
またシャフト２７１は、左右の両端部分において、束搬送筐体３０Ｆにより矢印Ｒ３又は矢印Ｒ４の方向へ回動可能に支持されている。さらにシャフト２７１は、図示しない規制部材により、その回動可能な角度範囲が例えば４５度〜６０度程度に規制されており、且つ図示しないスプリングにより、矢印Ｒ４の方向に回動するように付勢されている。
【０１３８】
このシャフト２７１には、３枚の取込案内板２７２が取り付けられている。取込案内板２７２は、左右方向に薄い板状でなり、左右方向から見て直角三角形状に形成されている。この取込案内板２７２は、直角部分の近傍においてシャフト２７１に挿通されており、且つ当該シャフト２７１に対して固定されている。また各取込案内板２７２における左右方向の位置は、挟持搬送ガイド２２８における切欠部２６１Ｓの位置とそれぞれ対応している（図１７（Ａ））。
【０１３９】
ここで、紙幣出金機２１０において一回の出金処理により出金可能な最大枚数（例えば１００枚）でなる紙幣束Ｗが挟持搬送ガイド２２８の上面に載置された場合に、上ベルト３１の下面がこの紙幣束Ｗにより持ち上げられた場合の高さを、仮想的な直線である上ガイド上限３１Ｈにより表す。取込案内板２７２は、シャフト２７１が矢印Ｒ４の方向へ最も回動したときに、図１７（Ｂ）に示したように、頂点２７２Ｖを当該シャフト２７１の前斜め上方であって、上ガイド上限３１Ｈよりも上側に位置させる。すなわち取込案内板２７２は、このとき斜面２７２Ｌを束搬送路２１３Ｙと交差させている。
【０１４０】
また取込案内板２７２は、シャフト２７１が矢印Ｒ３の方向へ最も回動したときに、図１７（Ｃ）に示すように、頂点２７２Ｖを当該シャフト２７１の前方に位置させ、当該取込案内板２７２全体を挟持搬送ガイド２２８の上面よりも下側に位置させる。すなわち取込案内板２７２は、このとき束搬送路２１３Ｙの外部へ退避した状態となる。
【０１４１】
さらにシャフト２７１における左右の両端よりも内側であって、挟持搬送ガイド２２８の当接体２６２と対向する箇所には、被当接体２７３がそれぞれ取り付けられている（図１７（Ａ））。被当接体２７３は、全体として上下方向に細長い直方体状に形成されており、上端の近傍において、シャフト２７１に貫通されている。また被当接体２７３の前面における下端近傍には、前方へ突出した突出部２７３Ｐが突設されている。
【０１４２】
かかる構成により紙幣出金機２１０は、図１６に示したように挟持搬送ガイド２２８を前方へ移動させて取込孔２７Ｈを閉塞させた場合、当接体２６２の前面を取込ガイド２３７における被当接体２７３の突出部２７３Ｐに当接させる。これにより取込ガイド２３７は、矢印Ｒ３（図１７（Ｂ））の方向へ回動し、図１７（Ｃ）に示したように、取込案内板２７２を挟持搬送ガイド２２８の切欠部２６１Ｓ内に入り込ませて束搬送路２１３Ｙの下方へ退避させる。このため取込ガイド２３７は、挟持搬送ガイド２２８が前側に位置している場合、束搬送路２１３Ｙにおける紙幣束Ｗの搬送に何ら影響を及ぼさない。
【０１４３】
一方、紙幣出金機２１０は、図３に示した場合と同様に、挟持搬送ガイド２２８を後方へ移動させて取込孔２７Ｈを開放させた場合、当接体２６２を取込ガイド２３７の被当接体２７３から引き離す。これにより取込ガイド２３７は、スプリングの作用により矢印Ｒ４の方向へ回動し、図１７（Ｂ）に示したように、取込案内板２７２の頂点２７２Ｖを上ガイド上限３１Ｈよりも上方に位置させ、斜面２７２Ｌを束搬送路２１３Ｙと交差させる。
【０１４４】
実際上、紙幣出金機２１０では、例えば図１０（Ｄ）及び（Ｅ）に示した場合と同様に、挟持搬送ガイド２２８上に載置された紙幣束Ｗをラッセル部３５により前方へ押し出した場合に、その一部が他の紙幣から分離し、勢い良く前進する場合がある。このような場合、紙幣出金機２１０は、この紙幣を下ベルト３４と上ベルト３１との間に入り込ませてしまうため、リジェクト収納庫２７内に収納することができず、次回以降の出金取引において本来出金すべき紙幣束Ｗと一緒に誤って出金してしまう恐れがあった。
【０１４５】
この点において紙幣出金機２１０では、取込ガイド２３７を設けたことにより、挟持搬送ガイド２２８上から紙幣束Ｗから一部の紙幣が分離して勢い良く前進したとしても、これを取込案内板２７２の斜面２７２Ｌに当接させ、下斜め前方へ案内すること、すなわち取込孔２７Ｈからリジェクト収納庫２７内へ落下させることができる。
【０１４６】
また紙幣出金機２１０では、取込ガイド２３７を図示しないスプリングにより矢印Ｒ４の方向へ付勢すると共に、挟持搬送ガイド２２８の当接体２６２を被当接体２７３の突出部２７３Ｐに当接させるようにした。このため紙幣出金機２１０は、専用の動力源を設ける必要なく、挟持搬送ガイド２２８の移動と連動して、取込ガイド２３７を回動させることができる。
【０１４７】
さらに紙幣出金機２１０では、ラッセル部３５等ではなく、挟持搬送ガイド２２８の移動と連動して取込ガイド２３７を回動させるようにした。このため紙幣出金機２１０では、取込孔２７Ｈを閉塞して紙幣束Ｗを束搬送路２１３Ｙに沿って搬送したい場合に、取込案内板２７２を当該束搬送路２１３Ｙから退避させ、円滑に搬送させることができる。その一方で紙幣出金機２１０は、取込孔２７Ｈを開放して紙幣束Ｗを取り込みたい場合に、斜面２７２Ｌを当該束搬送路２１３Ｙと交差させ、紙幣束Ｗから分離した紙幣を当該取込孔２７Ｈ内へ案内することができる。
【０１４８】
そのうえ紙幣出金機２１０では、挟持搬送ガイド２２８を後方へ移動させた場合に、図示しないスプリング及び規制部材の作用により、当該取込ガイド２３７を矢印Ｒ４の方向へ最も回動させた状態で、斜面２７２Ｌを束搬送路２１３Ｙと交差させるようにした。このため紙幣出金機２１０は、後方から進行してきた紙幣が斜面２７２Ｌに当接した場合に、当該紙幣から当該斜面２７２Ｌに前方へ向かう力、すなわち取込ガイド２３７を矢印Ｒ４の方向へ回動させようとする力が加えられたとしても、規制部材により当該取込ガイド２３７の姿勢を維持できる。
【０１４９】
以上の構成によれば、紙幣出金機２１０は、取込孔２７Ｈにおける案内開始点２７Ｇと反対側に取込ガイド２３７を設け、挟持搬送ガイド２２８の移動と連動して、斜面２７２Ｌが束搬送路２１３Ｙを横切る状態と取込案内板２７２を当該束搬送路２１３Ｙから退避させた状態とに切り替えるようにした。このため紙幣出金機２１０は、挟持搬送ガイド２２８の位置に応じて、取込孔２７Ｈを閉塞させた場合には束搬送路２１３Ｙに沿って紙幣束Ｗを円滑に搬送する一方、当該取込孔２７Ｈを開放させた場合には、紙幣束Ｗから分離して前方へ進行しようとする紙幣を当該取込孔２７Ｈ内へ案内できる。
【０１５０】
［４．第４の実施の形態］
第４の実施の形態による紙幣出金機３１０（図１）は、第１の実施の形態による紙幣出金機１０のうち後面機１０Ｒ（図２（Ｂ））と対応している。この紙幣出金機３１０は、第１の実施の形態による紙幣出金機１０と比較して、制御部１４に代わる制御部３１４を有する点において相違するものの、他の点については同様に構成されている。
【０１５１】
制御部３１４は、第１の実施の形態による制御部１４と同様、図示しないＣＰＵを中心に構成され、ＲＯＭ、フラッシュメモリやＲＡＭ等を有しており、所定のプログラムを実行することにより出金処理等の処理を行う。また制御部３１４は、ハードディスクドライブやフラッシュメモリ等でなる記憶部に種々の情報を記憶させる。
【０１５２】
この制御部３１４は、出金動作の途中、例えば紙幣束Ｗをステージ２６Ｔにより束搬送路１３Ｙ内へ持ち上げる（図４（Ｂ））までの過程で何らかの障害が発生した場合、この紙幣束Ｗ（以下これを出金障害紙幣と呼ぶ）をリジェクト収納庫２７に取り込むようになっている。
【０１５３】
具体的に制御部３１４は、出金動作の途中で障害が発生すると、図１８に示す出金障害紙幣取込処理手順ＲＴ３を開始してステップＳＰ２１へ移る。ステップＳＰ２１において制御部３１４は、図１９（Ａ）に示すように、ラッセル部３５をステージ２６Ｔの前側まで移動させることにより、紙幣束Ｗを後方へ搬送可能な状態として、次のステップＳＰ２２へ移る。
【０１５４】
ステップＳＰ２２において制御部３１４は、まず図１９（Ｂ）に示すように、ステージ２６Ｔを上昇させて紙幣束Ｗを束搬送路１３Ｙ内に位置させると共に当該ステージ２６Ｔにより束搬送路１３Ｙの一部を形成させる。続いて制御部３１４は、図１９（Ｃ）に示すように、ラッセル部３５を後方へ移動させることにより、紙幣束Ｗをステージ２６Ｔの後側であって、且つ取込孔２７Ｈよりも前側となる位置まで搬送し、次のステップＳＰ２３へ移る。
【０１５５】
ステップＳＰ２３において制御部３１４は、図１９（Ｄ）に示すように、ステージ２６Ｔを下降させてから、図１９（Ｅ）に示すように挟持搬送ガイド２８を前方へ移動させることにより、取込孔２７Ｈを開放させて、次のステップＳＰ２４へ移る。
【０１５６】
ステップＳＰ２４において制御部３１４は、図５（Ｂ）に示した場合と同様に、ラッセル部３５を後方へ移動させることにより、紙幣束Ｗを取込孔２７Ｈから落下させ、次のステップＳＰ２５へ移って出金障害紙幣取込処理手順ＲＴ３を終了する。このとき紙幣束Ｗは、第１の実施の形態と同様、束搬送路１３Ｙから僅かに下方へ下降した段階で、案内開始点２７Ｇの近傍において傾斜面２７Ｌに当接し、その下面を当該傾斜面２７Ｌに摺動させながら後下方へ下降していき、やがて第２収納空間２７Ｓ２へ到達すると、当該第２収納空間２７Ｓ２に収納される。
【０１５７】
ところで、図１９（Ａ）〜（Ｅ）及び図５（Ｂ）に示した動作は、第１の実施の形態において説明した図９（Ｅ）及び図１０（Ａ）〜（Ｅ）を前後反対にしたような動作となっている。すなわち制御部３１４は、第１の実施の形態における取忘紙幣の取込動作と一部類似した手順により、出金障害紙幣を取り込むことができる。
【０１５８】
このように、紙幣出金機３１０の制御部３１４は、出金動作の途中で障害が発生した場合、取忘紙幣を取り込む場合と一部類似した手順を行う。これにより紙幣出金機３１０は、ラッセル部３５により紙幣束Ｗを移動させ、取込孔２７Ｈから落下させて傾斜面２７Ｌに沿って下降させ、第２収納空間２７Ｓ２に収納させることができる。
【０１５９】
この結果、紙幣出金機３１０は、出金動作の途中で障害が発生した場合であっても、紙幣束Ｗを第２収納空間２７Ｓ２に収納させることで、新たな出金取引を行い得る状態、すなわち正常な運用状態を継続することができる。
【０１６０】
［５．第５の実施の形態］
第５の実施の形態による紙幣出金機４１０（図１）は、第１の実施の形態による紙幣出金機１０のうち後面機１０Ｒ（図２（Ｂ））と対応している。この紙幣出金機４１０は、第１の実施の形態による紙幣出金機１０と比較して、制御部１４に代わる制御部４１４を有する点において相違するものの、他の点については同様に構成されている。
【０１６１】
制御部４１４は、第１の実施の形態による制御部１４と同様、図示しないＣＰＵを中心に構成され、ＲＯＭ、フラッシュメモリやＲＡＭ等を有しており、所定のプログラムを実行することにより出金処理等の処理を行う。また制御部４１４は、ハードディスクドライブやフラッシュメモリ等でなる記憶部に種々の情報を記憶させる。
【０１６２】
この制御部４１４は、紙幣の取り忘れが発生した場合、及び出金動作の途中で何らかの障害が発生した場合、種類（すなわち取忘紙幣又は出金障害紙幣）が異なる紙幣を混在させない場合に限り、これらの紙幣をリジェクト収納庫２７の第２収納空間２７Ｓ２に取り込んで収納するようになっている。
【０１６３】
また制御部４１４は、第２収納空間２７Ｓ２の状態を表す情報として、何も収納していない未収納の状態、取忘紙幣を収納した状態、或いは出金障害紙幣を収納した状態の何れであるかをＲＡＭ等に記憶し、この状態が変化する度に更新するようになっている。
【０１６４】
具体的に制御部４１４は、出金動作を開始すると、図２０に示す取込処理手順ＲＴ４を開始し、ステップＳＰ３１へ移る。ステップＳＰ３１において制御部４１４は、紙幣束Ｗの取り忘れが発生したか否かを判定する。ここで肯定結果が得られると、このことは、できる限り紙幣束Ｗを第２収納空間２７Ｓ２に取り込むべきであることを表している。このとき制御部４１４は、次のステップＳＰ３２へ移る。
【０１６５】
ステップＳＰ３２において制御部４１４は、ＲＡＭ等に記憶している情報を基に、第２収納空間２７Ｓ２に出金障害紙幣を既に収納しているか否かを判定する。ここで否定結果が得られると、このことは第２収納空間２７Ｓ２が紙幣を未収納であるか、或いは過去に発生した取忘紙幣を収納しているために、新たな取忘紙幣を収納し得ることを表している。このとき制御部４１４は、次のステップＳＰ３３へ移る。
【０１６６】
ステップＳＰ３３において制御部４１４は、サブルーチンとして取忘紙幣取込処理手順ＲＴ１（図７）を実行し、さらにそのサブルーチンとして搬送方向切替処理手順ＲＴ２（図８）を実行することにより、第１の実施の形態と同様に取忘紙幣を第２収納空間２７Ｓ２に取り込み、再びステップＳＰ３１へ戻る。
【０１６７】
一方、ステップＳＰ３２において肯定結果が得られた場合、このことは、仮に新たに発生した取忘紙幣を第２収納空間２７Ｓ２に取り込んだ場合、当該第２収納空間２７Ｓ２において当該取忘紙幣を既存の出金障害紙幣と混在させてしまうため、後で両者を分離する作業が必要となることを表している。このとき制御部４１４は、次のステップＳＰ３４へ移る。
【０１６８】
因みにこのとき紙幣出金機４１０は、図４（Ｃ）に示したように、ラッセル部３５を出金口３６の近傍に位置させることにより、当該出金口３６のシャッタを開放させ、且つ当該出金口３６から紙幣束Ｗの一部を露出させた状態となっている。
【０１６９】
ステップＳＰ３４において制御部４１４は、上ベルト３１及び下ベルト３４を後方へ走行させることにより、紙幣束Ｗを束搬送路１３Ｙ内へ取り込み、次のステップＳＰ３５へ移る。ステップＳＰ３５において制御部４１４は、ラッセル部３５を後方へ移動させることにより、出金口３６のシャッタを閉塞させ、次のステップＳＰ３９へ移る。
【０１７０】
一方、ステップＳＰ３１において否定結果が得られた場合、制御部４１４は次のステップＳＰ３６へ移り、出金動作中に障害が発生したか否かを判定する。ここで肯定結果が得られると、制御部４１４は次のステップＳＰ３７へ移る。
【０１７１】
ステップＳＰ３７において制御部４１４は、ＲＡＭ等に記憶している情報を基に、第２収納空間２７Ｓ２に取忘紙幣を既に収納しているか否かを判定する。ここで否定結果が得られると、このことは第２収納空間２７Ｓ２が紙幣を未収納であるか、或いは過去に発生した出金障害紙幣を収納しているために、新たな出金障害紙幣を収納し得ることを表している。このとき制御部４１４は、次のステップＳＰ３８へ移る。
【０１７２】
ステップＳＰ３８において制御部４１４は、サブルーチンとして出金障害紙幣取込処理手順ＲＴ３（図１８）を実行することにより、第４の実施の形態と同様に出金障害紙幣を第２収納空間２７Ｓ２に取り込み、再びステップＳＰ３１へ戻る。また制御部４１４は、ステップＳＰ３６において否定結果が得られた場合にも、ステップＳＰ３１へ戻る。
【０１７３】
一方、ステップＳＰ３７において肯定結果が得られた場合、このことは、仮に新たに発生した出金障害紙幣を第２収納空間２７Ｓ２に取り込んだ場合、当該第２収納空間２７Ｓ２において当該出金障害紙幣を既存の取忘紙幣と混在させてしまうため、後で両者を分離する作業が必要となることを表している。このとき制御部４１４は、次のステップＳＰ３９へ移る。
【０１７４】
ステップＳＰ３９において制御部４１４は、運用を停止することにより、紙幣束Ｗを束搬送路１３Ｙ内等に残したまま、実行中の出金動作や取込動作を中止させると共に、新たな出金取引の受付を中止した後、次のステップＳＰ４０へ移って取込処理手順ＲＴ４を終了する。
【０１７５】
因みに制御部４１４は、図示しない通信部を介して保守作業者等に運用を停止した旨を通知することにより、当該保守作業者等に所定の復旧作業を行わせる。具体的に紙幣出金機４１０は、束搬送路１３Ｙ内等に残した紙幣束Ｗを取り出させ、またリジェクト収納庫２７の第２収納空間２７Ｓ２内に収納している紙幣も取り出させてから、再び運用を開始する。
【０１７６】
このように、紙幣出金機４１０の制御部４１４は、取忘紙幣及び出金障害紙幣が発生した場合、第２収納空間２７Ｓ２に他の種類の紙幣が収納されていない場合に限り、当該第２収納空間２７Ｓ２に収納させる。これにより制御部４１４は、複数の種類の紙幣を分離するための繁雑な作業を発生させないようにしながら、これらの紙幣を可能な限り第２収納空間２７Ｓ２に収納させることにより、紙幣出金機４１０の運用を可能な限り継続させることができる。
【０１７７】
［６．他の実施の形態］
なお上述した第１の実施の形態においては、ラッセル部３５として、１枚の板状の部材により紙幣束Ｗを進行方向へ押して搬送すると共に、出金口３６の近傍において退避状態に遷移する構成とした場合について述べた。また第２の実施の形態においては、ラッセル部１３５として、後ラッセル板１４２及び前ラッセル板１４３といった２枚の板状部材の何れかにより紙幣束Ｗを進行方向へ押して搬送すると共に、ラッセル部１３５の進行方向を切り替えるだけで、任意の箇所において紙幣束Ｗの搬送方向を切り替えるようにした場合について述べた。
【０１７８】
しかしながら本発明はこれに限らず、種々の構成でなるラッセル部により、束搬送路１３Ｙ等に沿って紙幣束Ｗを前後方向へ搬送するようにしても良い。例えば図１２と対応する図２１（Ａ）に示すように、前面用束搬送ユニット５１３Ｆは、ラッセル部１３５に代わるラッセル部５３５により、紙幣束Ｗを束搬送路５１３Ｙに沿って搬送するようになっている。ラッセル部５３５は、第１の実施の形態によるラッセル部３５と第２の実施の形態によるラッセル部１３５の一部とを組み合わせたような構成となっており、基板５４１及び後ラッセル板５４２に対し、回動軸５４４を中心に前ラッセル板５４３を回動させ得るようになっている。この前ラッセル板５４３は、図２１（Ｂ）に示すように、第１の実施の形態によるラッセル部３５と同様、出金口３６の近傍においてのみ退避状態に遷移することができる。この前面用束搬送ユニット５１３Ｆを有する紙幣出金機は、第２の実施の形態と同様の手順により、取忘紙幣をリジェクト収納庫２７内の第２収納空間２７Ｓ２内へ取り込むことができる。
【０１７９】
すなわち本発明は、第１の実施の形態のように、ラッセル部による紙幣束Ｗの搬送方向を任意の箇所で切り替えられない場合には、搬送方向切替処理手順ＲＴ２（図８）のような手順を実行することにより、取込孔２７Ｈにおける案内開始点２７Ｇに近い箇所から紙幣束Ｗを落下させることができる。また、第２の実施の形態のように、ラッセル部による紙幣束Ｗの搬送方向を任意の箇所で切り替えられる場合には、比較的簡素な手順により、取込孔２７Ｈにおける案内開始点２７Ｇに近い箇所から紙幣束Ｗを落下させることができる。
【０１８０】
さらに上述した第１の実施の形態においては、傾斜面２７Ｌを平面とする場合について述べた。しかしながら本発明はこれに限らず、例えば曲面としても良く、また紙幣との摩擦を低減させるための部材や機構を設けても良い。第２〜第５の実施の形態についても同様である。
【０１８１】
また上述した第３の実施の形態においては、取込ガイド２３７を回動させることにより、取込案内板２７２の斜面２７２Ｌを束搬送路２１３Ｙと交差させた状態（図１７（Ｂ））又は束搬送路２１３Ｙの外部へ退避させた状態（図１７（Ｃ））に遷移させる場合について述べた。しかしながら本発明はこれに限らず、例えば取込ガイド２３７を上下方向や斜め方向へ移動させることにより、斜面２７２Ｌを束搬送路２１３Ｙと交差させた状態又は束搬送路２１３Ｙの外部へ退避させた状態に遷移させるようにしても良い。
【０１８２】
さらに上述した第３の実施の形態においては、取込ガイド２３７を矢印Ｒ４（図１７（Ｂ））の方向へ回動させるよう、図示しないスプリングにより付勢する場合について述べた。しかしながら本発明はこれに限らず、例えばシャフト２７１に対する重心の位置を調整することにより、重力の作用を利用して取込ガイド２３７を矢印Ｒ４の方向へ付勢する等、種々の力を作用させることにより、取込ガイド２３７を矢印Ｒ４の方向へ付勢しても良い。或いは、例えばこれと反対に、取込ガイド２３７をスプリング等により矢印Ｒ３の方向へ付勢し、挟持搬送ガイド２２８が後方へ移動する際に矢印Ｒ４の方向へ回動するような力を作用させるようにしても良い。
【０１８３】
さらに上述した第３の実施の形態においては、前面機２１０Ｆにおいて、取込孔２７Ｈにおける案内開始点２７Ｇと反対側に取込ガイド２３７を設ける場合について述べた。しかしながら本発明はこれに限らず、例えば図２２に示す紙幣出金機６１０のように、後面機６１０Ｒとして構成され、後側に取込孔２７Ｈが配置されている場合に、当該取込孔２７Ｈにおける案内開始点２７Ｇと反対側に、取込ガイド６３７を設けても良い。この場合、取込ガイド６３７は、束搬送路１３Ｙの後端近傍に配置されており、紙幣束Ｗを当該取込ガイド６３７よりも後方へ搬送する必要が無いため、束搬送筐体３０Ｒに固定されている。かかる構成より、取込ガイド６３７は、取込ガイド２３７と同様、後方へ進行しようとする紙幣を下方へ案内して取込孔２７Ｈ内へ下降させることができる。
【０１８４】
さらに上述した第５の実施の形態においては、ステップＳＰ３５（図２０）において、出金口３６のシャッタをラッセル部３５の位置と連動して開閉させる場合に、ラッセル部３５を後方へ移動させることにより、シャッタを閉塞させる場合について述べた。しかしながら本発明はこれに限らず、例えば専用の駆動力源から供給される駆動力を基にシャッタを開閉し得る場合に、ラッセル部３５の位置と無関係にシャッタを閉塞させても良い。
【０１８５】
さらに上述した第１の実施の形態においては、収納ユニット１２を前後に反転させることで前面機１０Ｆ及び後面機１０Ｒの何れにも組み込み得るようにした上で、前面機１０Ｆを構成し取込孔２７Ｈにおいて案内開始点２７Ｇが出金口３６と反対側に位置する場合に、取忘紙幣取込処理手順ＲＴ１（図７）を実行するようにした。しかしながら本発明はこれに限らず、例えば収納ユニット１２を前後に反転させ得る構成では無いものの、収納ユニット１２内におけるレイアウトの制約等により、前面機１０Ｆと同様に取込孔２７Ｈにおいて案内開始点２７Ｇが出金口３６と反対側に位置する場合に、取忘紙幣取込処理手順ＲＴ１（図７）を実行しても良い。第２〜第５の実施の形態についても同様である。
【０１８６】
さらに上述した第２の実施の形態においては、挟持搬送ガイド２８及びステージ２６Ｔを板状の部材とし、ラッセル部１３５により紙幣束Ｗを前後方向へ押すことにより、当該挟持搬送ガイド２８及びステージ２６Ｔの上面に沿って移動させる場合について述べた。しかしながら本発明はこれに限らず、例えばラッセル部１３５を省略する一方、挟持搬送ガイド２８及びステージ２６Ｔに下ベルト３４と同様の構成でなるベルト機構を組み込み、これらを上ベルト３１及び下ベルト３４と連動して走行させることにより紙幣束Ｗを搬送するようにしても良い。この場合、第２の実施の形態と同様、搬送方向切替処理手順ＲＴ２（図８）を実行すること無く、取忘紙幣取込処理手順ＲＴ１（図７）のみを実行すれば良い。第３〜第５の実施の形態についても同様である。
【０１８７】
さらに上述した第１の実施の形態においては、挟持搬送ガイド２８を収納ユニット１２側に設ける場合について述べた。しかしながら本発明はこれに限らず、例えば挟持搬送ガイド２８を束搬送ユニット１３（前面用束搬送ユニット１３Ｆ又は後面用束搬送ユニット１３Ｒ）側に設けても良い。第２〜第５の実施の形態についても同様である。
【０１８８】
さらに上述した第１の実施の形態においては、操作者との間で出金取引を行う場合に、媒体束としての紙幣束を生成して搬送することにより出金口３６から出金する紙幣出金機１０に本発明を適用する場合について述べた。しかしながら本発明はこれに限らず、例えば商品券や証券等、種々の紙葉状の媒体を束状に集積して取引する種々の装置に適用しても良い。第２〜第５の実施の形態についても同様である。
【０１８９】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１９０】
さらに上述した実施の形態においては、集積部としての集積部２６と、束搬送部としての束搬送部１３Ｃと、引渡口としての出金口３６と、リジェクト収納庫としてのリジェクト収納庫２７と、案内傾斜面としての傾斜面２７Ｌと、取込孔開閉部としての挟持搬送ガイド２８と、制御部としての制御部１４とによって媒体処理装置としての紙幣出金機１０を構成する場合について述べた。しかしながら本発明はこれに限らず、その他種々の構成でなる集積部と、束搬送部と、引渡口と、リジェクト収納庫と、案内傾斜面と、取込孔開閉部と、制御部とによって媒体処理装置を構成しても良い。
【産業上の利用可能性】
【０１９１】
本発明は、金融機関等に設置され、操作者の操作に応じて紙幣を出金する紙幣出金機でも利用できる。
【符号の説明】
【０１９２】
１……現金自動支払機、１０、１１０、２１０、３１０、４１０……紙幣出金機、１０Ｆ、１１０Ｆ、２１０Ｆ……前面機、１０Ｒ、１１０Ｒ……後面機、１２、１１２……収納ユニット、１３、１１３……束搬送ユニット、１３Ｆ、１１３Ｆ、２１３Ｆ、５１３Ｆ……前面用束搬送ユニット、１３Ｒ、１１３Ｒ……後面用束搬送ユニット、１３Ｙ、１１３Ｙ、２１３Ｙ、５１３Ｙ……束搬送路、１４、１１４、２１４、３１４、４１４、５１４……制御部、２０……収納筐体、２０Ｅ……孔範囲、２６……集積部、２６Ｈ……集積孔、２６Ｓ……集積空間、２６Ｔ……ステージ、２７……リジェクト収納庫、２７Ｇ……案内開始点、２７Ｈ……取込孔、２７Ｌ……傾斜面、２７Ｓ１……第１収納空間、２７Ｓ２……第２収納空間、２８、２２８……挟持搬送ガイド、３０Ｆ、３０Ｒ、１３０Ｆ……束搬送筐体、３０Ｈ……大孔部、３１、１３１……上ベルト、３１Ｈ……上ガイド上限、３４……下ベルト、３５、１３５、５３５……ラッセル部、３６……出金口、１３０Ｌ……下面、１４１、５４１……基板、１４２、５４２……後ラッセル板、１４３、５４３……前ラッセル板、１４５、５４４……回動軸、１４６……フリクションブロック、２１２Ｆ……前面用収納ユニット、２３７、６３７……取込ガイド、Ｗ……紙幣束。
【図１】
2016151935.tif 000003
【図２】
2016151935.tif 000004
【図３】
2016151935.tif 000005
【図４】
2016151935.tif 000006
【図５】
2016151935.tif 000007
【図６】
2016151935.tif 000008
【図７】
2016151935.tif 000009
【図８】
2016151935.tif 000010
【図９】
2016151935.tif 000011
【図１０】
2016151935.tif 000012
【図１１】
2016151935.tif 000013
【図１２】
2016151935.tif 000014
【図１３】
2016151935.tif 000015
【図１４】
2016151935.tif 000016
【図１５】
2016151935.tif 000017
【図１６】
2016151935.tif 000018
【図１７】
2016151935.tif 000019
【図１８】
2016151935.tif 000020
【図１９】
2016151935.tif 000021
【図２０】
2016151935.tif 000022
【図２１】
2016151935.tif 000023
【図２２】
2016151935.tif 000024